(57)【要約】  サニタリーウェアシステムは、サニタリーウェアシステム内の１つまたは複数のサニタリーウェア備品のステータスまたはコンディションを決定し、特定の機能（例えば、水洗の実行、水洗バルブおよび／またはアングル止水栓の閉鎖、アラートの送信、サービスチケットの開始など）を実行するためのセンサを含み得る。サニタリーウェアシステムは、自動的に機能を実行し得る。サニタリーウェアシステムは、インターネット接続デバイスおよび／またはユーザにステータスまたはコンディションを通信し得、デバイスは機能を実行またはサニタリーウェアに機能を実行するように指示し得る。感知された情報、サニタリーウェアシステムのステータスまたはコンディション、および／または開始された応答は、サニタリーウェアシステムおよびシステム内のサニタリーウェア備品の全体的な効率および動作を改善するために記録され監視され得る。【選択図】図２
2021533291.tif 000002
【特許請求の範囲】
【請求項１】
サニタリーウェア備品システムを制御するためのサニタリーウェア制御システムであって、該サニタリーウェア制御システムは、
複数のサニタリーウェア備品と、
前記複数のサニタリーウェア備品の各々に繋げられた１つまたは複数のセンサであって、サニタリーウェア備品システムの動作に関連付けられた１つまたは複数のパラメータを検出するように構成された、前記１つまたは複数のセンサと、
前記複数のサニタリーウェア備品の各々に電気的に繋げられ、前記検出された１つまたは複数のパラメータに基づいて前記サニタリーウェア備品システムのコンディションを決定するように構成されたコントローラと、
を有し、
前記複数のサニタリーウェア備品の各々は、前記コンディション、外部動作データ、またはそれらの組み合わせに基づいて動作するように構成される
サニタリーウェア制御システム。
【請求項２】
前記外部動作データは、同種システムまたは異種システムからのものである
請求項１に記載のサニタリーウェア制御システム。
【請求項３】
前記同種システムは、他のサニタリーウェア備品の１つまたは複数である
請求項２に記載のサニタリーウェア制御システム。
【請求項４】
前記異種システムは、気象サービス、時間管理サービス、またはインライン流量計である
請求項２に記載のサニタリーウェア制御システム。
【請求項５】
前記複数のサニタリーウェア備品は、便器、小便器、ビデ、またはそれらの組み合わせを含む
請求項１に記載のサニタリーウェア制御システム。
【請求項６】
前記コントローラは、前記コンディションおよび外部動作データに基づいて、前記複数のサニタリーウェア備品の１つまたは複数を動作させるためのアクションを開始するように構成される
請求項１に記載のサニタリーウェア制御システム。
【請求項７】
前記コンディションは、負荷ステータスに対応し、
前記アクションは、高水洗量または低水洗量のいずれかである
請求項６に記載のサニタリーウェア制御システム。
【請求項８】
前記コンディションは、詰まりイベントであり、
前記アクションは、サービスチケットの開始、水洗バルブの閉鎖、またはアングル止水栓の閉鎖のいずれかである
請求項６に記載のサニタリーウェア制御システム。
【請求項９】
前記コンディションは、漏れ検出であり、
前記アクションは、サービスチケットの開始、水洗バルブの閉鎖、またはアングル止水栓の閉鎖のいずれかである
請求項６に記載のサニタリーウェア制御システム。
【請求項１０】
前記コンディションは、アングル止水栓ステータスであり、
前記アクションは、詰まりの自己診断またはサービスチケットの開始である
請求項６に記載のサニタリーウェア制御システム。
【請求項１１】
前記コンディションは、バッテリステータスであり、
前記アクションは、サービスチケットの開始である
請求項６に記載のサニタリーウェア制御システム。
【請求項１２】
前記コンディションは、水圧であり、
前記アクションは、サービスチケットの開始、クレーム調査のサポート、トラブルシューティングの促進、またはバルブ開放維持期間の調整である
請求項６に記載のサニタリーウェア制御システム。
【請求項１３】
前記コンディションは、備品の使用状況であり、
前記アクションは、トイレの使用状況の監視、または異常活動に基づくサービスチケットの開始である
請求項６に記載のサニタリーウェア制御システム。
【請求項１４】
前記コンディションは、水位であり、
前記アクションは、サービスチケットの開始、またはバルブ位置の調整である
請求項６に記載のサニタリーウェア制御システム。
【請求項１５】
前記コンディションは、配管の詰まりであり、
前記アクションは、サービスチケットの開始、またはバルブ位置を調整である
請求項６に記載のサニタリーウェア制御システム。
【請求項１６】
前記コンディションは、履歴データと比較した、１つまたは複数のサニタリーウェア備品の使用量における異常に高いまたは低いレベルであり、
前記アクションは、サービスチケットの開始である
請求項６に記載のサニタリーウェア制御システム。
【請求項１７】
前記コントローラは、保存し記録するために、前記検出された１つまたは複数のパラメータおよび前記決定されたコンディションの情報を外部デバイスに送信するように構成される
請求項１に記載のサニタリーウェア制御システム。
【請求項１８】
前記複数のサニタリーウェア備品の各々は、前記保存された１つ又は複数のパラメータ、コンディション、および時間期間にわたって保存された以前のアクションの履歴データに基づいて動作するように構成される
請求項１７に記載のサニタリーウェア制御システム。
【請求項１９】
前記コントローラは、複数のコントローラであり、
前記複数のコントローラの各々は、前記複数のサニタリーウェア備品のそれぞれ１つに繋げられている
請求項１に記載のサニタリーウェア制御システム。
【請求項２０】
前記コントローラは、前記複数のサニタリーウェア備品のサブセットに電気的に繋げられている
請求項１に記載のサニタリーウェア制御システム。
【請求項２１】
前記１つまたは複数のセンサは、前記複数のサニタリーウェア備品の１つの便器の外側に配置された超音波センサと、前記複数のサニタリーウェア備品の前記１つの水洗バルブアセンブリに配置された赤外線センサと、を有し、
前記１つまたは複数のパラメータは、前記超音波センサから感知された便器内容物のインジケーションと、前記赤外線センサから感知された前記複数のサニタリーウェア備品の前記１つの使用時間のインジケーションと、を含む
請求項１に記載のサニタリーウェア制御システム。
【発明の詳細な説明】
【技術分野】
【０００１】
関連出願の相互参照
本出願は、２０１８年８月３日に出願された米国仮出願第６２／７１４，２９９号に対する優先権を主張し、その全体が参照により本明細書に組み込まれる。
【０００２】
本発明は、一般に、コネクテッドサニタリーウェアシステムおよび方法に関するものであり、より詳細には、サニタリーウェアの性能および動作を制御するためのインターネットコネクテッドデバイスとのサニタリーウェア通信に関するものである。
【背景技術】
【０００３】
水の節約は、多くの経済的および環境的な理由から懸念されている。現在、水洗時の水を節約するために、多くの便器は「デュアル水洗」技術を使用している。「デュアル水洗」技術は、ユーザに「低容量水洗」オプション（通常約２〜４．５リットル）と「高容量水洗」オプション（通常約４〜９リットル）を提供する。選択されるオプションは、使用後の便器内容物に依存し、液体廃棄物の水洗処理は「低容量」オプションの使用のみを必要とする一方で、「高容量」オプションは固体廃棄物処理に使用することができる。しかし、「デュアル水洗」トイレでは、「低」および「高」水洗容量の２つの個別の容量の選択に制限される。さらに、「デュアル水洗」トイレでは、使用者が「低」水洗量で十分な場合に「高」水洗量を選択することができるが、使用者の裁量で水洗量を選択することはできない。さらに、便器故障の場合（例えば、詰まりがある場合、常時水洗コンディション、および／または便器部品の故障がある場合）、水が絶えず便器に流れ込むか、または便器から出ていかないことがある。これは、水、資源、金銭の浪費、および／または便器、トイレ、建物の破損などの原因となる。したがって、便器の内容物を決定し、適切な水レベルで水洗し得るサニタリーウェアに対するニーズが存在する。ニーズはさらに、便器を通る水の流れを制御するマイヤーで動作するように他のデバイスと通信し得るサニタリーウェアに対して存在する。さらに、コネクテッドサニタリーウェアシステムおよび方法に対する更なるニーズが存在する。
【発明の概要】
【０００４】
本開示の一実施形態では、サニタリーウェア備品システムを制御するためのサニタリーウェア制御システムは、複数のサニタリーウェア備品と、前記複数のサニタリーウェア備品の各々に繋げられた１つまたは複数のセンサであって、サニタリーウェア備品システムの動作に関連付けられた１つまたは複数のパラメータを検出するように構成された、前記１つまたは複数のセンサと、前記複数のサニタリーウェア備品の各々に電気的に繋げられ、前記検出された１つまたは複数のパラメータに基づいて前記サニタリーウェア備品システムのコンディションを決定するように構成されたコントローラと、を含み得る。前記複数のサニタリーウェア備品の各々は、前記コンディション、外部動作データ、またはそれらの組み合わせに基づいて動作するように構成される。
【０００５】
本開示の一実施形態では、前記外部動作データは、同種システムまたは異種システムからのものである。
【０００６】
本開示の一実施形態では、前記同種システムは、他のサニタリーウェア備品の１つまたは複数である。
【０００７】
本開示の一実施形態では、前記異種システムは、気象サービス、時間管理サービス、またはインライン流量計である。
【０００８】
本開示の一実施形態では、前記複数のサニタリーウェア備品は、便器、小便器、ビデ、またはそれらの組み合わせを含む。
【０００９】
本開示の一実施形態では、前記コントローラは、前記コンディションおよび外部動作データに基づいて、前記複数のサニタリーウェア備品の１つまたは複数を動作させるためのアクションを開始するように構成される。
【００１０】
本開示の一実施形態では、前記コンディションは、負荷ステータスに対応し、前記アクションは、高水洗量または低水洗量のいずれかである。
【００１１】
本開示の一実施形態では、前記コンディションは、詰まりイベントであり、前記アクションは、サービスチケットの開始、水洗バルブの閉鎖、またはアングル止水栓の閉鎖のいずれかである。
【００１２】
本開示の一実施形態では、前記コンディションは、漏れ検出であり、前記アクションは、サービスチケットの開始、水洗バルブの閉鎖、またはアングル止水栓の閉鎖のいずれかである。
【００１３】
本開示の一実施形態では、前記コンディションは、アングル止水栓ステータスであり、前記アクションは、詰まりの自己診断またはサービスチケットの開始である。
【００１４】
本開示の一実施形態では、前記コンディションは、バッテリステータスであり、前記アクションは、サービスチケットの開始である。
【００１５】
本開示の一実施形態では、前記コンディションは、水圧であり、前記アクションは、サービスチケットの開始、クレーム調査のサポート、トラブルシューティングの促進、またはバルブ開放維持期間の調整である。
【００１６】
本開示の一実施形態では、前記コンディションは、備品の使用状況であり、前記アクションは、トイレの使用状況の監視、または異常活動に基づくサービスチケットの開始である。
【００１７】
本開示の一実施形態では、前記コンディションは、水位であり、前記アクションは、サービスチケットの開始、またはバルブ位置の調整である。
【００１８】
本開示の一実施形態では、前記コンディションは、配管の詰まりであり、前記アクションは、サービスチケットの開始、またはバルブ位置を調整である。
【００１９】
本開示の一実施形態では、前記コンディションは、履歴データと比較した、１つまたは複数のサニタリーウェア備品の使用量における異常に高いまたは低いレベルであり、前記アクションは、サービスチケットの開始である。
【００２０】
本開示の一実施形態では、前記コントローラは、保存し記録するために、前記検出された１つまたは複数のパラメータおよび前記決定されたコンディションの情報を外部デバイスに送信するように構成される。
【００２１】
本開示の一実施形態では、前記複数のサニタリーウェア備品の各々は、前記保存された１つ又は複数のパラメータ、コンディション、および時間期間にわたって保存された以前のアクションの履歴データに基づいて動作するように構成される。
【００２２】
本開示の一実施形態では、前記コントローラは、複数のコントローラであり、前記複数のコントローラの各々は、前記複数のサニタリーウェア備品のそれぞれ１つに繋げられている。
【００２３】
本開示の一実施形態では、前記コントローラは、前記複数のサニタリーウェア備品のサブセットに電気的に繋げられている。
【００２４】
本開示の一実施形態では、前記１つまたは複数のセンサは、前記複数のサニタリーウェア備品の１つの便器の外側に配置された超音波センサと、前記複数のサニタリーウェア備品の前記１つの水洗バルブアセンブリに配置された赤外線センサと、を有し、前記１つまたは複数のパラメータは、前記超音波センサから感知された便器内容物のインジケーションと、前記赤外線センサから感知された前記複数のサニタリーウェア備品の前記１つの使用時間のインジケーションと、を含む。
【００２５】
本開示の追加の特徴および利点は、以下の説明に記載され、部分的に説明から自明であるか、または本明細書に開示された原理の実践によって学ぶことができるであろう。本開示の特徴および利点は、添付の特許請求の範囲に特に指摘されている装置および組み合わせによって実現され、得ることができる。本開示のこれらの特徴および他の特徴は、以下の説明および添付の特許請求の範囲からより完全に明らかになるか、または本明細書に記載された原理の実践によって学ぶことができる。
【図面の簡単な説明】
【００２６】
本発明のさらなる理解を提供するために含まれ、本明細書に組み込まれ、本明細書の一部を構成する添付図面は、本発明の好ましい実施形態を例示し、詳細な説明と共に、本発明の原理を説明するのに役立つ。図面では：
【００２７】
【図１Ａ】コネクテッドシステムにおける通信の例示的なフロー図である。
【００２８】
【図１Ｂ】コネクテッドシステムにおける通信の例示的なフロー図である。
【００２９】
【図１Ｃ】コネクテッドシステムにおける通信の例示的なフロー図である。
【００３０】
【図１Ｄ】コネクテッドシステムにおける通信の例示的なフロー図である。
【００３１】
【図１Ｅ】コネクテッドシステムにおける通信の例示的なフロー図である。
【００３２】
【図２】例示的なコネクテッドシステムを示す図である。
【００３３】
【図３Ａ】コネクテッドシステムと共に使用される例示的なサニタリーウェアの例示的な配置を示す図である。
【図３Ｂ】コネクテッドシステムと共に使用される例示的なサニタリーウェアの例示的な配置を示す図である。
【００３４】
【図４Ａ】例示的なユーザダッシュボードを示す図である。
【図４Ｂ−１】例示的なユーザダッシュボードを示す図である。
【図４Ｂ−２】例示的なユーザダッシュボードを示す図である。
【図４Ｃ−１】例示的なユーザダッシュボードを示す図である。
【図４Ｃ−２】例示的なユーザダッシュボードを示す図である。
【図４Ｄ】例示的なユーザダッシュボードを示す図である。
【００３５】
【図５Ａ】例示的なユーザダッシュボードのユーザ側を示す図である。
【図５Ｂ】例示的なユーザダッシュボードのユーザ側を示す図である。
【図５Ｃ】例示的なユーザダッシュボードのユーザ側を示す図である。
【図５Ｄ】例示的なユーザダッシュボードのユーザ側を示す図である。
【図５Ｅ−１】例示的なユーザダッシュボードのユーザ側を示す図である。
【図５Ｅ−２】例示的なユーザダッシュボードのユーザ側を示す図である。
【図５Ｅ−３】例示的なユーザダッシュボードのユーザ側を示す図である。
【図５Ｅ−４】例示的なユーザダッシュボードのユーザ側を示す図である。
【図５Ｆ−１】例示的なユーザダッシュボードのユーザ側を示す図である。
【図５Ｆ−２】例示的なユーザダッシュボードのユーザ側を示す図である。
【図５Ｇ】例示的なユーザダッシュボードのユーザ側を示す図である。
【図５Ｈ】例示的なユーザダッシュボードのユーザ側を示す図である。
【図５Ｉ】例示的なユーザダッシュボードのユーザ側を示す図である。
【図５Ｊ】例示的なユーザダッシュボードのユーザ側を示す図である。
【００３６】
【図６Ａ−１】例示的なユーザダッシュボードのユーザ側を示す図である。
【図６Ａ−２】例示的なユーザダッシュボードのユーザ側を示す図である。
【図６Ｂ−１】例示的なユーザダッシュボードのユーザ側を示す図である。
【図６Ｂ−２】例示的なユーザダッシュボードのユーザ側を示す図である。
【００３７】
【図７Ａ−１】例示的なユーザダッシュボードのユーザ側を示す図である。
【図７Ａ−２】例示的なユーザダッシュボードのユーザ側を示す図である。
【図７Ａ−３】例示的なユーザダッシュボードのユーザ側を示す図である。
【図７Ｂ−１】例示的なユーザダッシュボードのユーザ側を示す図である。
【図７Ｂ−２】例示的なユーザダッシュボードのユーザ側を示す図である。
【図７Ｂ−３】例示的なユーザダッシュボードのユーザ側を示す図である。
【図７Ｃ−１】例示的なユーザダッシュボードのユーザ側を示す図である。
【図７Ｃ−２】例示的なユーザダッシュボードのユーザ側を示す図である。
【図７Ｄ−１】例示的なユーザダッシュボードのユーザ側を示す図である。
【図７Ｄ−２】例示的なユーザダッシュボードのユーザ側を示す図である。
【図７Ｄ−３】例示的なユーザダッシュボードのユーザ側を示す図である。
【図７Ｅ】例示的なユーザダッシュボードのユーザ側を示す図である。
【図７Ｆ−１】例示的なユーザダッシュボードのユーザ側を示す図である。
【図７Ｆ−２】例示的なユーザダッシュボードのユーザ側を示す図である。
【図７Ｆ−３】例示的なユーザダッシュボードのユーザ側を示す図である。
【００３８】
【図８】例示的なゲートウェイ顧客割り当てを示す図である。
【００３９】
【図９】ゲートウェイを有するコンピューティングデバイスへの水洗バルブアセンブリの例示的な接続を示す図である。
【００４０】
【図１０】ゲートウェイを有さないコンピューティングデバイスへの水洗バルブアセンブリの例示的な接続を示す図である。
【００４１】
【図１１】例示的なコンピューティングデバイスを示す図である。
【発明を実施するための形態】
【００４２】
本開示は、建物またはビル、倉庫、キャンパスなどの建物内の１つまたは複数のトイレ内の装置のセットまたはコレクションを監視および制御するためのシステムおよび方法に関する。例えば、本開示のシステムおよび方法は、建物、建物、倉庫、キャンパスなどの中の１つまたは複数のトイレ内の便器、小便器、蛇口、および／またはペーパーディスペンサー（例えば、ペーパータオルまたはトイレットペーパー）を監視および制御し得る。制御および監視は、様々な装置を電気的に結合（無線、有線、またはそれらの組み合わせのいずれか）して、互いにおよび／またはコンピューティングデバイスに接続することによって促進され得る。したがって、ユーザは、コンピューティングデバイスからリモートで各デバイスのステータスを監視することができる。モニタリングされたデバイスの１つで問題または他の活動が発生した場合、ユーザは、コンピューティングデバイスを介して応答またはアクションを開始することができる。例えば、便器の詰まりが検出された場合、ユーザは、その便器および／または詰まった便器と流体でつながっている他の便器の使用を無効にし得る。デバイスは、プログラムされた命令、中央クラウドに格納されたデータ、および／またはコンピューティングデバイスに格納されたデータに基づいて、自動的にアクションを開始し得る。このようにして、ユーザは、単一の場所（例えば、コンピューティングデバイス）内のトイレのコレクションの遠隔制御を有し得る。これは、トイレのメンテナンス、制御、および監視を容易にし、および／または水の節約および／またはトイレのコレクションによる水の使用量の削減を支援し得る。
【００４３】
本発明は、コネクテッドサニタリーウェアシステムおよび方法に関する。システムは、コネクテッド、相互に接続された、またはネットワーク化されたサニタリーウェア備品を含み得る。本発明はまた、便器、小便器、またはビデなどの１つまたは複数のサニタリーウェア備品を含むことができるサニタリーウェアシステムにも関する。１つまたは複数のサニタリーウェア備品の各々は、サニタリーウェアシステムまたはシステム内の個々のサニタリーウェア備品のステータスまたはコンディションを決定し、特定の機能または動作を実行するための１つまたは複数のセンサを含み得る。サニタリーウェアシステムは、機能を自動的に実行し得る（例えば、水洗を実行する、水洗バルブおよび／またはアングル止水栓を閉じる、アラートを送信する、サービスチケットを開始する、など）。サニタリーウェアシステムは、インターネットコネクテッドデバイスにステータスまたはコンディションを通信してもよく、デバイスは、その後、機能を実行してもよく、または機能を実行するようにサニタリーウェアに指示し得る。例えば、デバイスは、水洗、バルブ閉鎖、またはサービスチケットの開始を指示し得る。デバイスは、サニタリーウェアの全体的な効率および動作を改善するために、サニタリーウェアのステータスまたはコンディションを記録し、監視し得、サニタリーウェアの回収を行い得る。
【００４４】
本発明の原理に従ったシステムおよび方法は、通信および通信する能力を含む。本開示は、１つまたは複数のデバイスと通信する能力を有するサニタリーウェアを含み得る。１つまたは複数のデバイスは、インターネットコネクテッドデバイスであり得る。一つの側面において、様々なデバイス：企図されるデバイスは、データ、情報、指示、入力、および出力を転送するために、互いに接続されている。ネットワーク接続は、ブリッジ、ルータ、スイッチ、ゲートウェイを含むことができる。後にさらに詳細に説明するように、１つまたは複数のデバイスは、サニタリーウェアとの一方通行、双方向および／または多方向通信が可能であり得る。例えば、１つまたは複数のデバイスは、他のサニタリーウェアデバイス、モバイルデバイス、コンピュータ、他の配管備品などであり得る。サニタリーウェアは、小便器、ビデ、および／または便器であり得る。サニタリーウェアは、１つまたは複数のセンサを含んでもよい。１つまたは複数のセンサは、サニタリーウェアのコンディションを検出し得る。サニタリーウェアのコンディションを検出するための様々なセンサは、参照によりその全体が組み込まれるＧｒｏｖｅｒらによる「Systems to Automate Adjustment of Water Volume Release to a Toilet Bowl to Correspond to Bowl Contents, Toilets Including the System and Related Methods」（以下、「Ｇｒｏｖｅｒら」と呼ぶ）と題されたＵＳ特許出願公開番号第１５／６４３，０８６に記載されている。例えば、１つまたは複数のセンサは、サニタリーウェア便器の負荷またはコンディションを決定するための超音波センサであり得る。１つまたは複数のセンサは、サニタリーウェア便器のステータスまたはコンディションを決定するために便器の外表面に繋がれた超音波センサであり得る。１つまたは複数のセンサは、アングル止水栓、水洗バルブ、またはサニタリーウェア等を通る流体の流れを検出する流量センサまたは流量センサであり得る。１つまたは複数のセンサは、サニタリーウェア、バルブ、および配管内の１つまたは複数の位置での水圧を検出するための圧力センサであり得る。１つまたは複数のセンサは、ユーザの存在および／または不在を検出するためのユーザ検出センサ（例えば、近接センサ）であり得る。１つまたは複数のセンサは、容量性センサであり得る。１つまたは複数のセンサは、記載されたセンサまたは他の既知のセンサの任意の組み合わせであり得る。様々なセンサが、本発明の原理に従って企図される。
【００４５】
１つまたは複数のセンサは、１つまたは複数のデバイスから信号を送信および／または受信し得る。１つまたは複数のデバイスは、外部デバイス（例えば、集中データサーバ、コンピュータ、タブレット、モバイルデバイス、他の配管備品など）、または内部のサニタリーウェアデバイス（例えば、水洗バルブ、アングル止水栓、他のバルブなど）であり得る。１つまたは複数のデバイスは、センサが配置されている特定のサニタリーウェアの外部であり得、サニタリーウェアの内部であり得る。１つまたは複数のセンサは、１つまたは複数の装置と直接通信し得る。すなわち、１つまたは複数のセンサは、感知されたサニタリーウェアの１つまたは複数のパラメータに対応する信号を１つまたは複数の装置に送信し得る。１つまたは複数の装置は、データを評価して、サニタリーウェアのステータスまたはコンディションを決定し得る。１つまたは複数の装置は、評価またはアクションのために、サニタリーウェアのステータスまたはコンディションを示す信号をユーザに送信し得る。アクションは、例えば、サニタリーウェアの修理、交換、または清掃を含むことができる。
【００４６】
１つまたは複数のセンサは、制御システムおよび／または通信システム（図１Ｃ）と通信し得る。システムは、１つまたは複数のコントローラおよび／または１つまたは複数の通信装置を含んでもよい。システムは、後にさらに詳細に説明するように、１つまたは複数のデバイスと直接通信し得る。１つまたは複数のセンサは、感知されたサニタリーウェアの１つまたは複数のパラメータに対応する信号をシステムに送信し得る。システムは、感知されたデータおよびシステム内に存在するアルゴリズムに基づいて、サニタリーウェアのステータスまたはコンディションを決定し得る。システムは、１つまたは複数の装置のうちの１つまたは複数の装置に、例えば、特定の水洗量の開始（例えば、１つまたは複数の装置が水洗バルブである場合）、サニタリーウェアへの水の流れの遮断（例えば、１つまたは複数の装置がアングル止水栓である場合）、サービスチケットの開始（例えば、１つまたは複数の装置が中央コンピュータシステムまたはモバイルデバイスまたは管理人のモバイルデバイスである場合）などの機能を実行するように指示し得る。１つまたは複数のデバイスのうちの１つまたは複数のデバイスは、実行されたステータスおよび機能を記録し得る。１つまたは複数のデバイスによって収集されたデータは、建物システムまたはサニタリーウェアのネットワークの効率を改善するために使用され得る。
【００４７】
例えば、制御システムは、収集されたデータに基づいて、午後に特定の水洗量を使用すると、詰まったサニタリーウェアの数が多くなることを決定してもよく、その決定に基づいて、制御システムは、１つまたは複数のサニタリーウェアデバイスの水洗量を増加させる。一例では、増加した水洗量を有するサニタリーウェアデバイスは、以前に詰まりを経験したデバイスのみであり得る。例示的な例では、制御システムは、サニタリーウェアデバイスのすべてまたはサニタリーウェアデバイスのサブセットのために水洗量を増加させ得る。サブセットは、以前に詰まりを経験した装置と同じ部屋、建物、またはその近傍にあるサニタリーウェア装置であり得る。一実施例では、データが収集されたサニタリーウェア装置から遠隔に位置する１つまたは複数の関連するサニタリーウェア装置の水使用量を修正することにより、収集されたデータの分析に基づいて、建物システムの効率が改善され得る。
【００４８】
デバイスから受信したデータは、分析（例えば、回帰分析、モンテカルロシミュレーション、平均値など）されてもよく、分析に基づいて、特定のデバイスでの水使用量が修正され得る。１つまたは複数のデバイスからのデータは、分析のために集約され、一緒に結合されてもよく、デバイスによって追加のデータが生成されると、そのデータは、以前に収集されたデータに追加され、分析され得る。一例では、データの保存限界が存在する場合、システムは、保存された最も古いデータを、新しいデータ、更新されたデータ、またはより最近のデータに置き換え得る。データは、任意の数の方法で収集され得る。データの収集および分析は、所定の基準で行われ得る。一例では、データの分析は、周期的に（例えば、毎時、毎日、毎週など）行われ得、データが受信され、以前のデータと結合されると同時に行われ得る。
【００４９】
本開示のサニタリーウェアは、１つまたは複数のインターネットコネクテッドデバイス（例えば、インターネットオブシングス（ＩｏＴ）デバイス）に繋がれ得る。デバイスは、コンピュータ、タブレット、電話、モバイルデバイス、サニタリーウェアの構成要素（例えば、バルブ、センサーなど）、建物内の電化製品および／または備品（例えば、シンク、シャワー、浴槽、蛇口、トイレットペーパーディスペンサー、ペーパータオルディスペンサー、石鹸ディスペンサー、他のサニタリーウェア、便器、小便器、ビデ、冷蔵庫、冷凍庫、食器洗い機、飲料用噴水、水機能など）を含んでもよい。サニタリーウェアおよび／またはＩｏＴデバイスは、サニタリーウェアおよび／またはＩｏＴデバイスがそれぞれ信号、指示、データなどを送受信するような双方向通信を有し得る。信号は、サニタリーウェアおよび／またはＩｏＴデバイスの機能に関連付けられ得る。双方向通信は、有線、無線、ＰＡＮ、Ｂｌｕｅｔｏｏｔｈ（登録商標）（例えば、近距離無線通信）、他の低電力無線、近距離通信、またはそれらの組み合わせであり得る。例えば、サニタリーウェアは、サニタリーウェアのステータス（例えば、詰まり、水洗サイクル、水洗、量など）をＩｏＴデバイスに通信し得る。サニタリーウェアのステータスは、その記述に従って判定され得る。ＩｏＴデバイスは、サニタリーウェアのステータスを評価し、所定の指示のデータベースと比較し、対応する指示をサニタリーウェアまたはサニタリーウェアに繋がれたデバイスに送り返し得る。代替的または追加的に、ＩｏＴデバイスは、サニタリーウェアのステータスを評価し、第３のＩｏＴデバイスに所定の指示を通信し得る。例えば、ＩｏＴデバイスは、サニタリーウェアの遮断バルブまたはアングル止水栓を開いたり、投与したりするためにサニタリーウェアのステータスを通信してもよく、それによってサニタリーウェアへの水流を開いたり、閉じたりする。サニタリーウェアは、様々な理由を検出するために、外部のインターネットコネクテッドデバイスと通信し得る。
【００５０】
本明細書に記載されているように、コネクテッドシステムの構成要素は、互いに電気的に通信（例えば、接続性）し得る。すなわち、コネクテッドシステムの構成要素または装置は、センサ、コントローラ、コンピューティングデバイス、インターネットデバイス、中央サーバ、サニタリーウェア装置（または本明細書に記載の他の装置）などの他の構成要素または装置と電気的に通信し得る。電気的通信は、各構成要素への送信および／または各構成要素からの送信を可能にし得る。電気的通信は、データ、情報、指示、ステータス等の伝送、またはそれらの組み合わせであり得る。電気的通信は、一方向通信、双方向通信、および／または多方向通信であり得る。そのような通信は、半二重または全二重を介して発生することができる。電気的通信は、部品、電源、水洗バルブ、便器、ＩｏＴデバイス間であり得る。電気的通信は、有線および／または無線であり得る。電気通信は、ゲートウェイを介し得る。電気通信は、データ、情報、指示などを含む電気信号の伝送、またはそれらの組み合わせであり得る。
【００５１】
図１Ａを参照すると、１つまたは複数のサニタリーウェア１０から１つまたは複数のユーザ１８へのコネクテッドサニタリーウェアシステム２０などのコネクテッドシステムの例示的なデータフローが示されている。１つまたは複数のサニタリーウェア１０は、センサ、通信装置、および／またはコントローラを含み得る。センサは、先に説明したように、サニタリーウェアの１つまたは複数のパラメータを感知するためのものであり得る。感知されたデータは、ゲートウェイ１２を介して、クラウドまたはサーバ１４、ユーザのデバイス１６、そしてユーザ１８に通信され得る。ユーザ１８は、例えば、設置されたサニタリーウェアシステム２０の場所に関連するユーザ、および／またはサニタリーウェア１０の事業者または製造者／販売者のいずれかに関連するアナリストのようなビジネスユーザであり得る。あるいは、感知されたデータは、サーバ１４に直接通信され得る。サーバ１４は、システムが複数またはリソースをログ、保存、および管理することを可能にし得る。より詳細に説明されるように。建物の内部、サニタリーウェアの内部、建物の外部、動作データ、気象データ、水または他の資源の毎日の価格などの情報は、本明細書に詳細に記載されているように、サニタリーウェアシステム２０のすべてのレベルによって使用されるために、サーバ１４内に保存され得る。
【００５２】
本開示は、便器（または他のサニタリーウェア）のバルブまたは他の構成要素の動作を制御し得るスマートコネクテッドサニタリーウェアシステム２０を説明する。バルブの制御は、例えば、システムからの、例えば、配管システムの動作（例えば、配管の詰まり）、静的データ（製品プロファイル）および動的データ（センサ）の入力、環境動作／変化（例えば、冬、夏、干ばつ、配管システムの凍結を防止するための定期的な水洗）、および／または毎日、毎週、毎月、または年間の使用パターンなど、サーバ１４に格納されているか、またはサーバ１４を介して通信された情報に基づき得る。いくつかの例示的な実施形態が本明細書に記載されている。
【００５３】
図１Ｂを参照すると、コネクテッドシステム２０またはコネクテッドシステム１００（図２）の部分間の電気的通信の例が示されている。デバイス５０（例えば、サニタリーウェアデバイスまたは他のデバイス）は、クラウド／サーバ７０と通信し得るゲートウェイ６０と通信し得る。サーバ７０は、コンピューティングデバイス８０と通信し得る。パスは、双方向であり得る。すなわち、デバイス５０は、サーバ７０を介してコンピューティングデバイス８０にパラメータを送信し得る。コンピューティングデバイス８０は、（例えば、パラメータと、コンピューティングデバイス８０および／またはサーバ７０に記憶されている任意の外部情報とに基づいて）適切な動作を決定し、サーバ７０を介してデバイス５０に指示を送信し得る。デバイス５０は、サーバのユーザを介さずに、コンピューティングデバイス８０と直接通信し得る。このローカル通信は、有線または無線であってもよく、双方向であり得る。すなわち、デバイス５０は、パラメータをコンピューティングデバイス８０に直接送信してもよく、コンピューティングデバイス８０は、クラウド／サーバ７０との通信を必要とせずに、デバイス５０に直接指示を返し得る。そのような通信は、半二重または全二重であり得る。
【００５４】
図１Ｃを参照すると、コネクテッドシステム２０またはコネクテッドシステム１００（図２）の部分間の電気的通信の例が示されている。センサ（複数可）および／またはコントローラ（複数可）は、デバイス（例えば、図１Ｂのデバイス５０）上に配置され得る。例えば、センサは、水洗バルブ上、便器上、便器の外側などに配置され得る。センサは、便器の内容物を検出するためにセラミック便器の外面に配置された超音波センサを含んでもよく、および／または、使用者の存在を検出するために水洗バルブ上またはその近傍に配置された赤外線センサを含んでもよい。センサ（複数可）は、装置上に物理的に配置されていてもよく、および／または装置に近接して配置され得る。コントローラーは、水洗バルブ上、便器上、または他の場所に配置され得る。コントローラーは、装置から遠隔に配置され得る。コントローラは、装置上に直接配置される必要はなく、装置上または装置の近くに配置されたセンサとの電気的通信（有線または無線のいずれか）中に、遠隔に配置され得る。このようにして、１つのコントローラは、１つまたは複数のデバイス上に配置された１つまたは複数のセンサを監視および／または制御し得る。
【００５５】
図１Ｃを引き続き参照すると、コントローラ（複数可）は、本明細書に記載されているように、センサ（複数可）と電気的に通信し得る。コントローラは、センサへの信号の送信および／または受信を行い得る。コントローラは、ゲートウェイを介してコンピューティングデバイスおよび／またはサーバと電気的に通信し得る。コントローラは、コンピューティングデバイス（複数可）および／またはサーバとの間で信号を送信および／または受信し得る。したがって、コントローラは、コンピューティングデバイスを介してローカルに（例えば、サーバとの接続なしに）通信してもよく、および／またはサーバと通信し得る。したがって、コントローラは、アクションを指示する際に、様々な情報を考慮し得る（例えば、水洗バルブを開くおよび／または閉じるように指示、アングル止水栓を閉じるように指示、技術者および／または清掃員にメッセージを送信、または本明細書に記載されているような他のアクション）。情報は、個々の便器、便器システム、水の使用量、天候、サニタリーウェアの内容、ユーザのステータスなどに関連する情報であってもよく、本明細書で説明した情報のいずれかであり得る。各コントローラは、複数の装置（図１Ｄ）または単一の装置（図１Ｅ）に関連付けられ得る。
【００５６】
例示的なコネクテッドシステム１００が図２に示されている。コネクテッドシステム１００は、１つまたは複数の水栓１０２（例えば、シンク１０４に関連付けられた水栓１０２）を含んでもよい。コネクテッドシステム１００は、１つまたは複数のサニタリーウェア１０５、例えば１つまたは複数の便器１０６および／または１つまたは複数の小便器１０８を含んでもよい。シンク１０４、便器１０６および小便器１０８が示されているが、いずれかが省略されてもよく、および／または他の備品または配管備品が含まれ得る。シンク１０４、便器１０６、小便器１０８、および／または他の備品または配管備品のうちの任意の数が、コネクテッドシステム１００に設けられ得る。サニタリーウェア１０５の各々は、水洗バルブアセンブリ１１０を含んでもよい。水洗バルブアセンブリ１１０は、サニタリーウェア１０５の間で同じであり得、異なり得る。
【００５７】
コネクテッドシステム１００は、パーソナルデスクトップコンピュータ１１４、ラップトップ１１６、モバイルデバイス１１８、またはそれらの組み合わせなどのコンピューティングデバイス１１２を含んでもよい。デバイスのいずれか（例えば、蛇口１０２、シンク１０４、サニタリーウェア１０５、水洗バルブアセンブリ１１０など）は、クラウドまたはサーバ１２２と通信し得るゲートウェイ１２０と通信し得る。コンピューティングデバイス１１２は、クラウドまたはサーバ１２２と通信し得る。このマイヤでは、コンピューティングデバイス１１２およびデバイスは、互いに通信し得る。代替的または追加的に、コンピューティングデバイス１１２は、デバイスと直接通信し得る。サニタリーウェア１０５、水洗バルブアセンブリ１１０、水栓１０２、および／またはシンク１０４とゲートウェイ１２０との間の通信、および／またはゲートウェイ１２０とサーバ１２２との間の通信は、Ｂｌｕｅｔｏｏｔｈ（登録商標）（例えば、近距離無線通信）、ＲＦ（無線周波数）、ＷｉＦｉ（例えば、無線ローカルエリアネットワーク）、赤外線、または他の無線通信または有線通信タイプであり得る。コンピューティングデバイス（複数可）１１２とサーバ１２２との間の通信は、同様に有線または無線であり得る。コネクテッドシステム１００は、水栓パフォーマンスシステム（ＦＰＳ）、便器パフォーマンスシステム（ＴＰＳ）、および／または小便器パフォーマンスシステム（ＵＰＳ）、またはそれらの組み合わせなどのシステムを含んでもよい。ＦＰＳ、ＴＰＳ、および／またはＵＰＳは、スタンドアロンシステムであってもよく、および／または全体的なコネクテッドシステム１００の一部であり得る。ＦＰＳ、ＴＰＳ、および／またはＵＰＳは、本明細書に記載された方法で、装置と、コネクテッドシステムと、コンピューティング装置と、サーバ、ゲートウェイ等と、またはそれらの組み合わせと通信し得る。
【００５８】
コネクテッドシステム１００は、ユーザが各種装置のステータスを監視できるようにし得る。様々な装置は、単一の部屋、複数の部屋、建物内、商業ビル、倉庫などの施設、住宅などに配置され得る。例えば、コネクテッドシステム１００は、使用された水の量、実行された水洗の回数、詰まりのステータスなどを監視することができるようにし得る。コネクテッドシステム１００の多くの例示的な用途が本明細書に記載されている（例えば、イベントケースが本明細書に記載されている）。
【００５９】
図２に示すコネクテッドシステム１００の例示的な実施形態では、ユーザは、コンピューティングデバイス１１２上のデバイスのステータスを監視し得る。例えば、サニタリーウェア１０５上のセンサは、それぞれのサニタリーウェアによって実行された水洗の回数をコンピューティングデバイス１１２に通信し得る。図２に描かれた例では、１つの便器が３３回の水洗を実行し、１つの小便器が８３回の水洗を実行し、１つの小便器が９４回の水洗を実行し、１つのシンクが１１０ガロンの水を使用し、１つのシンクが１６７ガロンの水を使用した。この情報は、コンピューティング装置１１２上に、絵図、図解、またはテキスト形式で描かれ得る。それは、記載されたコンピューティングデバイス１１２の１つ、複数、または全てからアクセス可能であり得る。コンピューティングデバイス１１２は、本明細書でより詳細に説明されるように、コネクテッドシステム１００を監視および制御するためのアプリケーションまたはウェブサイトを有し得る。
【００６０】
コネクテッドシステム１００の例示的な実施形態では、１つまたは複数のセンサは、サニタリーウェアデバイス１０５（またはコネクテッドシステム１００の他の構成要素）の１つまたは複数のパラメータを検出し得る。例えば、サニタリーウェアデバイス１０５の外側セラミック表面上に配置された超音波センサは、便器のステータス（例えば、内容物が入っている、詰まっている、など）を検出してもよく、その情報を、本明細書に記載されている任意の方法で、コネクテッドシステム１００に（例えば、コンピューティングデバイス１１２に）伝達し得る。
【００６１】
例示的な実施形態では、コネクテッドシステム１００は、サニタリーウェア備品１０５の便器上のセンサ（便器の外側の超音波センサ）と水洗バルブアセンブリ１１０上の赤外線（ＩＲ）センサの両方からの情報を監視し得る。コネクテッドシステム１００は、例えば、超音波センサでサニタリーウェア備品１０５の便器内の固形物（例えば、固形廃棄物、トイレットペーパー、便器内の他の固形物）を検出し、ＩＲセンサでユーザによる長時間の使用を検出し得る。コネクテッドシステム１００は、これらのパラメータの両方を使用して、高水洗（例えば、大容量水洗）が必要であると判断し、必要な水洗を実行するように水洗バルブアセンブリ１１０に指示し得る。コネクテッドシステム１００は、例えば、超音波センサを用いてサニタリーウェア備品１０５の便器内に固形物がないことを検出し、ＩＲセンサを用いてユーザによる短い使用時間を検出し得る。コネクテッドシステム１００は、これらのパラメータの両方を使用して、低水洗（例えば、低容量水洗）が必要であると判断し、必要な水洗を実行するように水洗バルブアセンブリ１１０に指示し得る。このようにして、コネクテッドシステム１００は、適切なアクションを決定するために、それぞれのサニタリーウェア備品のそれぞれに設けられた１つまたは複数のセンサからの１つまたは複数のパラメータを考慮し得る。便器センサおよびユーザステータスセンサの２種類以上のセンサを採用することは、取られるべきアクションの精度を向上させることができ、および／または適切なアクションが取られていることを検証することができる。
【００６２】
水洗バルブアセンブリ１１０は、当技術分野で知られているように、水の入口および出口を含んでもよい。水洗バルブアセンブリ１１０は、アングル止水栓を含んでもよい。水洗バルブアセンブリ１１０は、赤外線（ＩＲ）窓、ステータスＬＥＤ、および電気的なオーバーライドボタンを含んでもよい。水洗バルブアセンブリ１１０は、コントローラを含んでもよい。コントローラは、水洗バルブまたは水洗バルブアセンブリ１１０の構成要素の動作を制御し得る。コントローラは、バッテリ駆動、ＡＣ電源、またはそれらの組み合わせであり得る。コントローラは、コネクテッドシステム１００との通信を可能にするアンテナを含んでもよい。コントローラは、１つまたは複数のセンサに繋がれてもよく、１つまたは複数のセンサは、水洗バルブ上に配置されてもよく、サニタリーウェアのセラミック表面上に配置されてもよく、サニタリーウェアを有する部屋または建物内に配置されてもよく、またはそれらの組み合わせであり得る。このようにして、コントローラは、センサーによって感知されたデータを収集、分析、記録、送信、またはそれらの組み合わせを行うことができる。
【００６３】
コントローラは、センサからの１つまたは複数の感知された項目に基づいて、水洗バルブを制御し得る。コントローラは、サーバ１２２および／またはコンピューティングデバイス１１２と通信し得る。コントローラは、センサからの感知されたアイテムをサーバ１２２および／またはコンピューティングデバイス１１２に通信し得る。サーバ１２２および／またはコンピューティング装置１１２は、感知されたアイテムを分析、解釈、比較、またはその他の方法で監視し得る。サーバ１２２および／またはコンピューティングデバイス１１２は、コントローラに命令を送信し得る。コントローラは、コントローラへの指示に応答して、サニタリーウェア内のアクション（例えば、水洗バルブの機能）を開始し得る。他のアクションは、水洗バルブアセンブリ１１０への指示の代わりに、またはそれに加えて開始され得る。そのような動作は、例えば、技術者のような人にアラートを与えることであり得る。コントローラは、無線でおよび／または電気ケーブルで１つまたは複数のセンサに繋がれ得る。
【００６４】
水洗バルブアセンブリのハウジングは、ＩＲ窓が配置される切り欠きまたはスロットを含んでもよい。ＩＲ窓は、ステータスＬＥＤ及び電気的オーバーライドボタンを含んでもよい。ＩＲ窓は、サニタリーウェア１０５の水洗を開始するためのユーザの存在および／または不在を検出するために公知の方法で動作し得る。ステータスＬＥＤは、水洗バルブアセンブリ１１０および／またはサニタリーウェア１０５のステータス（例えば、動作可能、使用禁止、使用不能、水洗、ユーザ検出など）を示し得る。電気的なオーバーライドボタンは、便器の機能をオーバーライドするために採用され得る（例えば、水洗を停止するために）。アンテナ窓は、コントローラ、サーバ１２２、コンピューティングデバイス１１２、および／または他のデバイスとの間の（行き来する）通信を容易にし得る。水洗バルブアセンブリ１１０は、コネクテッドシステム１００の他の構成要素と通信するためのアンテナ（例えば、Ｂｌｕｅｔｏｏｔｈアンテナ）を含んでもよい。
【００６５】
図３Ａおよび図３Ｂを参照すると、サニタリーウェア１０５は、任意の数の態様で配置され得る。一例では、サニタリーウェア１０５は、隠蔽された水洗バルブアセンブリ１１０ａを有する壁掛け式便器１０６ａであり得る。隠蔽された水洗バルブアセンブリ１１０ａは、プレートが水洗バルブを隠蔽するような壁の背後に配置され得、ＩＲ窓が配置されている切り欠きまたはスロットを含んでもよい。ＩＲ窓は、ステータスＬＥＤ及び電気オーバーライドボタンを含んでもよい。ＩＲ窓は、サニタリーウェア１０５の水洗を開始するためのユーザの存在および／または不在を検出するために公知の方法で動作し得る。ステータスＬＥＤは、水洗バルブアセンブリ１１０および／またはサニタリーウェア１０５のステータス（例えば、動作可能、使用禁止、使用不能、水洗、ユーザ検出など）を示し得る。電気的なオーバーライドボタンは、便器の機能をオーバーライドするために採用され得る（例えば、水洗を停止するために）。修理、メンテナンス等のために水洗バルブアセンブリ１１０ａへのアクセスを許可するために、プレートが水洗バルブアセンブリ１１０ａの周囲の壁を覆いる得る。隠蔽された水洗バルブアセンブリ１１０ａは、アンテナ窓を含んでもよい。アンテナ窓は、コントローラ、サーバ１２２、コンピューティングデバイス１１２、および／または他のデバイス間の（行き来する）通信を容易にし得る。水洗バルブアセンブリ１１０ａは、コネクテッドシステム１００の他の構成要素と通信するためのアンテナ（例えば、Ｂｌｕｅｔｏｏｔｈアンテナ）を含んでもよい。一例では、サニタリーウェア１０５は、露出した水洗バルブアセンブリ１１０ｂを有する壁掛け式便器１０６ｂであり得る。一例では、サニタリーウェア１０５は、露出した水洗バルブアセンブリ１１０ｃを有する床置き型便器１０６ｃであり得る。描かれていないが、床置き便器１０６ｃは、隠蔽された水洗バルブアセンブリを有し得る。一例では、サニタリーウェア１０５は、露出した水洗バルブアセンブリ１１０ｄを有する小便器１０８ａであってもよく、一例では、サニタリーウェア１０５は、隠蔽された水洗バルブアセンブリ１１０ｅを有する小便器１０８ｂであり得る。実施例の１つまたはそれ以上、および／または実施例の個々の構成要素の１つまたはそれ以上は、１つのサニタリーウェア１０５および／またはコネクテッドシステム１００内で組み合わせられ得る。サニタリーウェア１０５の任意の組み合わせのうちの１つまたは複数は、コネクテッドシステム１００を形成するために繋がれ得る。
【００６６】
図４〜図７を参照すると、ユーザインタフェースの様々なビューが示されている。ユーザインタフェースは、コンピューティングデバイス１１２の任意の１つまたは複数で採用され得る。ユーザインタフェースは、コンピューティングデバイス１１２にインストールされたウェブベースのアプリケーションおよび／またはローカルアプリケーションであり得る。ユーザインタフェースは、コネクテッドシステム１００の監視および／または制御を可能にし得る。図４〜図７のユーザインタフェースは例示的なものであり、変更が採用され得る。代替的なユーザインタフェースが採用され得る。
【００６７】
図４Ａおよび図４Ｂは、ウェブベースのダッシュボード２００のワイヤフレームを示す。すなわち、図４Ａおよび図４Ｂは、ダッシュボード２００の開発側または構造レベルを示す。ダッシュボード２００は、コネクテッドシステム１００に関連付けられた視覚モジュール２０２を含み得る。図４Ａおよび図４Ｂに描かれた例示的なダッシュボード２００では、コネクテッドシステム１００は、複数の性別特定のトイレを有する建物内にある。したがって、視覚モジュール２０２は、「男性用東」モジュール、「男性用西」モジュール、「女性用東」モジュール、および「女性用西」モジュールを含む。したがって、ユーザは、それらの各場所内のコネクテッドデバイスを監視および／または制御し得る。ダッシュボード２００はまた、アラートまたはアラーム２０４を含んでもよい。そのようなアラートまたはアラーム２０４は、ユーザまたはシステム固有のものであってもよく、コネクテッドシステム１００によって自動的に生成されてもよく、ユーザによって生成されてもよく、またはそれらの組み合わせであり得る。アラートまたはアラーム２０４は、便器での技術者の必要性、交換が必要なバッテリ、高または低トラフィックを経験しているトイレ（例えば、いくつかの所定の閾値に基づいて）、保留中の詰まりの数（例えば、サニタリーウェアの使用またはステータスに基づいて推定される）、コネクテッドシステム１００からの通信メッセージ、装置内のトイレットペーパーおよび／またはペーパータオルの不足などを反映し得る。これらは、提示され得るアラートまたはアラーム２０４の単なる例であり、リストは網羅的ではない。アラートまたはアラーム２０４は、コネクテッドシステム１００に係る任意の数の項目であり得る。ダッシュボード２００は、通知モジュール２０６を示し得る。通知モジュール２０６は、コネクテッドシステム１００のアラーム、通信、および／またはステータスを場所別に整理し得る。例えば、階別、棟別、建物別、またはそれらの組み合わせなどである。ダッシュボード２００は、ナビゲーションパネル２１０を含んでもよい。ナビゲーションパネル２１０は、ユーザが、コネクテッドシステム１００を監視および／または制御するために、任意の数のウェブページの間をナビゲートすることを可能にし得る。例えば、図５の上側のウィンドウは、ダッシュボード２００の「ホームページ」を描き得る。ユーザは、ダッシュボード２００の「動作ステータスページ」であり得る下側のウィンドウにナビゲートし得る。追加のページが含まれ得る。動作ステータスページは、個々のサニタリーウェア備品、および／またはサニタリーウェアまたはコネクテッドシステム１００の他の構成要素の部屋、床、棟、または建物のステータスを表示し得る。
【００６８】
図４Ａおよび図４Ｂを参照すると、ダッシュボードおよびシステム、したがって監視および制御は、特定の建物、建物のシステム、部屋、床、トイレ、ウィングなどのために設定され、カスタマイズされ得る。したがって、図４Ａおよび図４Ｂに示されたモジュールは、監視される特定のコネクテッドシステムに合わせてカスタマイズされ得る。図４Ｃを参照すると、ダッシュボードは、デバイスタイプ（例えば、ゲートウェイ、便器、小便器、蛇口など）、トイレタイプ（例えば、男性、女性、男女兼用など）、場所（例えば、床、ウィング、トイレ、ウィングなど）、またはそれらの組み合わせのフィルタリングを可能にし得る。ダッシュボードは、選択されたストール（または他の選択されたデバイス）に関連するデータをレビューおよび分析するために、特定のトイレの特定の階の特定のストールを選択することを可能にし得る。各デバイス（例えば、各ストール、便器、水洗バルブなど）は、予め選択されたまたは予め設定されたプロファイルに基づく設定を有してもよく、特定のデバイスまたは建物などの履歴データを考慮し得る。設定は、検出間隔の時間、水洗の遅延、低水洗の持続時間、高水洗の持続時間、自動すすぎのオンまたはオフおよび自動すすぎの頻度および持続時間、重水洗のオンまたはオフおよび重水洗の頻度および持続時間、センサの検出距離などを含んでもよい。
【００６９】
図４Ｄに示すように、デバイスは、フィルタリングされ得、１つまたは複数のパラメータ（例えば、床、トイレ、詰まりステータス、バッテリステータス、通信ステータスなど）に基づいて分類され得る。一旦フィルタリングされると、便器に関するより詳細なレポートを表示するために、リストから特定のデバイス（例えば、特定の便器）を選択することができる。例えば、レポートは、システムステータス、通信ステータス、通信の最終日時、バッテリステータス、水アクティビティ、一日あたりの水洗回数、詰まり、高水洗、低水洗、二回目の水洗、水の消費量、および平均水洗回数を表示することができる。これらの情報は、任意の時間期間にわたって閲覧することができる。例えば、この情報は、過去３０日間、バッテリが最後に交換されてから、設置後、毎日、午後などに渡って閲覧され得る。
【００７０】
図５Ａ〜図５Ｊは、ダッシュボード２００のユーザインターフェースを描いている。すなわち、図５Ａ〜図５Ｊは、ダッシュボード２００のユーザ側を示す。ダッシュボード２００は、デスクトップコンピュータ１１４またはラップトップコンピュータ１１６などのコンピューティングデバイス１１２上で採用され得る。したがって、図５Ａ〜図５Ｊに例示的にのみ示すように、前述のセクションに関連するアイコンまたはモジュールは、ユーザによってダッシュボード２００上で可視化され得る。図５Ａ〜図５Ｊに示すように、ダッシュボード２００は、コネクテッドシステム１００の様々な構成要素に関連するステータス、アラーム、アラート、通信、またはそれらの組み合わせを含んでもよい。例えば、トラフィック、詰まり、バッテリステータス、通信ステータス、水洗回数、高水洗回数、水消費量、詰まりステータス、および／またはこのまたは他の情報の組み合わせは、ダッシュボード２００を用いて監視および制御され得る。図５Ｄ、図５Ｇ、図５Ｈ、図５I、および図５Ｊでは、情報は、特定のサニタリーウェア、コネクテッドシステム１００の他の構成要素、および／またはコネクテッドシステム１００全体の全体的な日次、月次、または年次のステータスを提供するために集計または収集され得る。図示され、説明されているように、情報は、テーブル形式、モジュール形式、絵図形式で表示され得る。情報は、図に示されているように、また、以下に説明されているように、表示され得る。
【００７１】
図５Ｃを参照すると、システムの管理者は、様々な建物システムまたは会社のシステムにアクセスし得る。各システムは、建物、床、グループ、ウィング、および／または部屋を有し得る。グループ（例えば、建物、床、グループ、部屋、ウィングなど）の各々は、企業の特定に基づいて、追加、編集、または変更され得る。図５Ｅおよび図５Ｆは、コネクテッドシステムで監視、分析、および制御され得るデータの例示的な一般的な絵図を示す。ダッシュボードは、特定のユーザ、建物、会社などに基づくデバイスおよびパラメータの任意の所望のサブセットの可視化を可能にするフィルタ２５０を含んでもよい。図５Ｅおよび図５Ｆのビューは、本明細書に記載されたデータのいずれかを示し得る。これは、例えば、水の消費量、節水量、総詰まり量、平均解決時間、二次水洗頻度、総水洗回数、総節水量、女性用トイレ、男性用トイレ、または男女兼用トイレあたりの総節水量、消費水量の月平均、トイレのトラフィック、トラフィック／トイレの使用量の最も多い日と最も少ない日、総訪問回数、女性用トイレ、男性用トイレ、または男女兼用トイレあたりの総訪問回数、一日あたりの平均訪問回数などを含んでもよい。このデータは、任意の数のパラメータに基づいて、監視、ダウンロード、可視化、分析、および／または制御され得る。すなわち、例えば、これに限定されないが、便器ごと、トイレごと、建物ごとなどに閲覧され得る。
【００７２】
図６Ａおよび図６Ｂは、ダッシュボード２００と同様のダッシュボード３００を描いている。ダッシュボード３００は、例えば、携帯電話、タブレット、または他のハンドヘルドモバイルデバイスなどのモバイルデバイス上で採用され得る。ダッシュボード３００は、図４および図５に関して説明したのと同じまたは類似の情報を含んでもよい。ダッシュボード２００および３００は、サニタリーウェア／ゲートウェイ構成ツールとして採用され得る（例えば、セルラー接続が利用できないメッシュネットワークにおけるマスタとしてのゲートウェイまたはスレーブとしてのゲートウェイ）。ダッシュボード２００、３００は、水洗バルブアセンブリの遠隔制御を可能にし得る。ダッシュボード２００および３００は、ＩＲ近接センサパラメータおよび／または水洗バルブパラメータのための水洗バルブアセンブリ１１０への遠隔制御を可能にし得る。ダッシュボード２００、３００は、スタンドアロンシステム上で使用される分析ツールとして採用され得る。したがって、ダッシュボード２００および３００は、コネクテッドシステム１００の特定のサニタリーウェアまたはコンポーネントの使用状況、および／またはコネクテッドシステム１００全体の使用状況を分析することを可能にし得る。
【００７３】
図７Ａ〜図７Ｆは、ダッシュボード３００または類似のダッシュボードで利用可能な様々な例示的な画面を示す。ユーザは、スタンドアロンモード（例えば、サーバ１２２に接続されておらず、コネクテッドシステム１００の特定のコンポーネントと直接通信する）および接続モード（例えば、サーバ１２２と通信する）から選択し得る。ユーザは、各ユーザがユーザによってパーソナライズされた固有のユーザダッシュボードを有し得るようなダッシュボード３００にログインし得る。図７Ａは、以前に説明したものと同様の例示的なダッシュボード３００を示しており、図７Ａでは、コネクテッドシステム１００の各特定のコンポーネントの監視および制御が許可されている。ユーザは、特定の建物、階、トイレ、ストールを選択して、詰まり、水洗、および／またはバッテリステータスを表示し得る。ユーザは、インターネットに接続された特定のコンポーネントの能力のステータスを表示し得、および／または制御し得る。ダッシュボード３００は、ユーザが、交換用バッテリを直接注文したり、水消費量を表示したり、平均節約量を表示したり、様々な水洗タイプ間の水洗分布を表示したり（例えば、低水洗と高水洗、一日平均使用量など）することを可能にし得る。ダッシュボード３００は、ユーザが第三者にデータを送信したり、特定のコンポーネントの設定を制御したり、および／またはコネクテッドシステム１００の他の側面を監視および制御したりすることを可能にし得る。
【００７４】
図７Ｂは、１つの特定のサニタリーウェアデバイスおよびその関連する水洗バルブアセンブリを詳細に見た例示的なダッシュボード３００を示している。描かれているように、ダッシュボード３００は、ユーザが、例えば、ユーザ検出間隔、検出と水洗の間の遅延、低水洗でバルブが開いている時間、高水洗でバルブが開いている時間、二次水洗遅延、サニタリーウェアの自動すすぎのオン／オフ、自動重水洗のオン／オフ、センサが測定する距離などのサニタリーウェアデバイスの設定を表示し、制御することを可能にし得る。これらは、ユーザの設定であってもよく、および／または水洗バルブアセンブリ、便器の位置、または他の要因、またはそれらの組み合わせに特有のものであり得る。
【００７５】
図７Ｃは、コネクテッドシステム１００の設定制御を有する例示的なダッシュボード３００を示す。コネクテッドシステム１００の各構成要素（例えば、各便器、小便器、シンク、水洗バルブ、蛇口、石鹸ディスペンサー、トイレットペーパーディスペンサー、ペーパータオルディスペンサーなど）は、システムに個別に入力され得る。これは、各コンポーネントの個別の監視および／または制御を可能にし得る。
【００７６】
図７Ｄは、コネクテッドシステムの個別の建物および階の監視および制御を有する例示的なダッシュボード３００を示す。図７Ｆは、コネクテッドシステム１００を設定するために採用され得る例示的なダッシュボード３００を示す。各建物およびフロアは、それらの中の特定の備品またはデバイスを割り当てられ得る。建物および階として描かれているが、部屋またはウィング、または建物、階、部屋、ウィングなどの組み合わせなど、他のパラメータが割り当てられ得る。これにより、ユーザが選択したように、コネクテッドシステム１００の構成要素のサブセットを監視および制御することができ得る。
【００７７】
図７Ｅは、設定パラメータを有する例示的なダッシュボード３００を示す。ユーザは、ユーザの特定のローカル設定、または所望の設定に基づいてパラメータを設定することができる。そのような設定は、例えば、測定システム、水の１ガロン当たりのコスト、使用量過多の閾値、使用量不足の閾値、バックアップステータス、バックアップアカウント、バックアップ頻度、およびバックアップ通信設定、およびそれらの任意の組み合わせを含み得る。これらの設定は、コネクテッドシステム、使用量の多い便器、使用量の少ない便器などの節水またはコストを計算するために使用され得る。これにより、ユーザは、コネクテッドシステム１００の特定の部分をサービスから除外し得る（例えば、使用量の少ない便器が除外され得る）、サービス頻度を決定し得る（例えば、使用量の多い便器が通常のスケジュールよりも頻繁にサービスされ得る）、または本明細書に記載されたイベントに関して他の機能を実行することができるようにし得る。
【００７８】
ダッシュボードで監視、表示、および分析される情報のいずれかは、ユーザによって所望されるようにフィルタリングまたは分類され得る。例えば、トイレのタイプ、日、月、年、時間帯（例えば、営業時間、平日、シフト時間）、ストール、使用状況、詰まり状況、通信状況、または本明細書に記載されているパラメータのいずれかによって分類され得る。
【００７９】
図５、図６、および図７に描かれた情報、制御、設定、データ、およびモジュールのいずれも、ダッシュボード２００、ダッシュボード３００、他のダッシュボード、またはコンピューティングデバイス１１２上でユーザによって採用される他のユーザインターフェースのいずれかを採用することができる。
【００８０】
本明細書に記載されるように、ダッシュボードは、履歴データ、経時的なシステム性能、トイレのトラフィックの出入り、蛇口またはシンクの使用状況、サニタリーウェアの使用状況を監視し得る。
【００８１】
図８は、コネクテッドシステムのための例示的なユーザゲートウェイの割り当てを示す。ゲートウェイ４００は、ユーザによって特定の場所に関連付けられ得る。ユーザは、ゲートウェイの場所を割り当て、コネクテッドシステムをセットアップするために、コンピューティングデバイス４０２（例えば、モバイルアプリケーションなど）を採用し得る。ユーザは、モバイルアプリケーション上でログインステップを開始してもよく、サーバ４０４は、ユーザを認証して、コンピューティングデバイス４０２上のモバイルアプリケーションへのログインを許可し得る。ユーザは、ゲートウェイ４００のアドレスをスキャンし得、入力し得る。コンピューティングデバイス４０２は、サーバ４０４と通信して、ゲートウェイ４００のアドレスをサーバ４０４に送信し得る。ユーザは、ゲートウェイ４００に名前を付けて位置を特定することができる。サーバ４０４は、このようにして、ゲートウェイ４００をユーザのコネクテッドシステム内の特定の場所に関連付け得る。すなわち、ユーザは、コネクテッドシステムで監視および制御されることを意図している各部屋、階、棟、建物、またはデバイスのサブセットごとにゲートウェイ４００を有し得る。サーバ４０４は、コンピューティングデバイス４０２を介してユーザとの間で渡された情報に基づいて、その特定の場所に割り当てられたゲートウェイを制御し得る。
【００８２】
図９は、ゲートウェイを使用したコネクテッドシステムのための例示的な水洗バルブアセンブリ制御を示す。水洗バルブアセンブリ５００は、ユーザによって特定の場所に関連付けられ得る。ユーザは、水洗バルブアセンブリ５００を割り当て、コネクテッドシステムをセットアップするために、コンピューティングデバイス５０２（例えば、モバイルアプリケーションなど）を採用し得る。ユーザは、モバイルアプリケーション上でログインステップを開始してもよく、サーバ５０４は、ユーザを認証して、コンピューティングデバイス５０２上のモバイルアプリケーションへのログインを許可し得る。ユーザは、水洗バルブアセンブリ５００のアドレスをスキャンまたは入力し得る。コンピューティングデバイス５０２は、サーバ５０４と通信して、水洗バルブアセンブリ５００のアドレスをサーバ５０４に送信し得る。ユーザは、水洗バルブアセンブリ５００に名前を付けて位置を特定し得る。したがって、サーバ５０４は、水洗バルブアセンブリ５００を、ユーザのコネクテッドシステム内の特定の場所に関連付けることができる。すなわち、ユーザは、コネクテッドシステムで監視および制御されることが意図されている多数の部屋、階、ウィング、または建物のそれぞれのサニタリーウェアのための水洗バルブアセンブリ５００を有し得る。図９において、コンピューティングデバイス５０２と水洗バルブアセンブリ５００との間の通信は、本明細書に記載されているように（例えば、図１Ａおよび図１Ｂに記載されているように）、ゲートウェイ５０６およびサーバ５０４を介して行われる。
【００８３】
図１０は、ゲートウェイを使用しないコネクテッドシステムのための例示的な水洗バルブアセンブリ制御を示す。水洗バルブアセンブリ６００は、ユーザによって特定の場所に関連付けられ得る。ユーザは、コンピューティングデバイス６０２（例えば、モバイルアプリケーションなど）を採用して、水洗バルブアセンブリ６００を割り当て、コネクテッドシステムをセットアップし得る。ユーザは、モバイルアプリケーション上でログインステップを開始してもよく、サーバ６０４は、ユーザを認証して、コンピューティングデバイス６０２上のモバイルアプリケーションへのログインを許可し得る。ユーザは、水洗バルブアセンブリ６００のアドレスをスキャンし得、入力し得る。コンピューティングデバイス６０２は、サーバ６０４と通信して、水洗バルブアセンブリ６００のアドレスをサーバ６０４に送信し得る。ユーザは、水洗バルブアセンブリ６００に名前を付け、位置を特定し得る。したがって、サーバ６０４は、水洗バルブアセンブリ６００を、ユーザのコネクテッドシステム内の特定の場所に関連付けることができる。すなわち、ユーザは、コネクテッドシステムで監視および制御されることが意図されている多数の部屋、階、ウィング、または建物のそれぞれのサニタリーウェアのための水洗バルブアセンブリ６００を有し得る。図１０では、コンピューティングデバイス６０２と水洗バルブアセンブリ６００との間の通信は、ゲートウェイなしでコンピューティングデバイス６０２を介して行われる。コンピューティングデバイス６０２は、サーバ６０４と個別に通信する。水洗バルブアセンブリ６００は、本明細書に記載されているように（例えば、図１Ａおよび図１Ｂに記載されているように）、サーバ６０４と通信しない。
【００８４】
以下のイベントは、上述のコネクテッドシステム１００が採用され得る例示的な状況を説明する。コネクテッドシステムに関して上述した特徴のいずれかが、イベントに採用されてもよく、またその逆も採用され得る。コネクテッドシステムおよびイベントは、本明細書に記載されたものを排他的または網羅的に示すものではない。以下のイベントは、主にサニタリーウェア備品の文脈で説明されているが、概念および応用は、コネクテッドシステムの他の構成要素で使用され得る。例えば、例えば、蛇口、シンク、トイレットペーパーディスペンサー、石鹸ディスペンサー、ペーパータオルディスペンサー、および／またはトイレに限定されない建物内の他の備品。
【００８５】
イベント：水洗量
【００８６】
サニタリーウェアは、水洗量を決定するアルゴリズムでプログラムされ得る。これにより、サニタリーウェアは、以前に決定されたように、特定の機能および／またはサニタリーウェアの特定のステータスのための正確なまたは特定の水洗量を選択することができるようにし得る。アルゴリズムは、サニタリーウェア便器の水位しきい値、プレゼンスセンサの持続時間しきい値、プレゼンスセンサの持続時間、および／または感知された水位読取値を考慮に入れ得る。アルゴリズムは、サニタリーウェアが、便器のステータスまたはコンディションに基づいて、高水洗量または低水洗量を選択することを可能にし得る。高水洗量は、例えば、約４リットルから約９リットル（約１．０６ガロンから約２．３８ガロン）であり得る。低水洗量は、例えば、約２リットルから約４．５リットル（約０．５２ガロンから約１．１９ガロン）であり得る。このように、サニタリーウェアの水洗バルブは、サニタリーウェアの特定の感知されたコンディションに基づいて、高水洗または低水洗で動作し得る。いくつかの実施形態では、特定の時間帯、または特定の場所でのサニタリーウェアの履歴、または他の記憶された情報が、低流量または高流量の水洗を開始するかどうかを水洗バルブに指示するために使用され得る。
【００８７】
便器のステータスまたは他の記憶された情報に基づいて水洗量を決定するサニタリーウェアの能力は、節水の利点を有し得る。サニタリーウェアおよび／または装置は、サニタリーウェアのステータスを決定し、アルゴリズムを使用して、サニタリーウェアの特定のコンディションに基づいて、高水洗および／または低水洗を開始し得る。これは、水洗サイクルごとに適切な量の水で水洗されるので、水の節約を可能にし得る。
【００８８】
開始された特定の水洗および示された便器のステータスは、サニタリーウェアの動作を記録および／または監視するための装置（例えば、サーバ）に通信され得る。記録された水洗（例えば、高または低）、便器のステータス、使用された水の量などの情報は、様々な目的のために使用され得る。例えば、情報は、予算計画、ＬＥＥＤ検証、テナントマーケティング、投資収益率、将来の投資、および／または消耗品（例えば、水洗液、洗剤、脱臭剤、トイレットペーパーなど）の管理のために使用され得る。情報は、便器の習慣または活動、および利用者の便器の習慣または活動のメトリクスを監視するために使用され得る。これは、ヘルスケア目的のために患者の便器活動と同じもののメトリクスが監視され、記録され得る病院で有用であり得る。情報は、便器使用率（例えば、液体と固体の比率）を比較するために使用され得る。情報は、データとコード機関の影響力のために使用され得る。情報は、サニタリーウェアの水使用量を監視するために使用され、その結果、建物内のすべてのサニタリーウェアの水使用量を監視することができる。これは、節水に基づいた課金の可能性を可能にし得る。情報は顧客のマーケティングに使用され得る。情報は、将来的に同じ水洗バルブを制御するため、および／または別のサニタリーウェアの水洗バルブを制御するために使用され得る。
【００８９】
このように、サニタリーウェアの各水洗で開始された水洗量の監視およびロギングは、サニタリーウェアの全体的な効率を向上させることができる。追跡により、建物への水供給を慎重に管理し、水供給の使用を最大化することができ得る。例えば、建物は、サニタリーウェアから記録されたデータに基づいて、一日の特定の時間帯に建物への水供給のより高い使用を考慮することができ得る。これらの時間帯に、システムは、他の装置（例えば、他の配管備品または他の配管備品を制御する装置）と通信して、この時間帯にこれらの装置に供給される水を減らすようにし得る。このように、記載されているように、データの監視は、サニタリーウェアを介して、および／または建物全体で水を節約することによって、サニタリーウェアの効率を向上させ得る。改善された効率を達成するためのデータの他の用途も考えられる。
【００９０】
イベント：詰まり
【００９１】
サニタリーウェアシステムが、詰まりイベントを判断し、適切な処置（例えば、アングル止水栓を閉じ、および／または水洗計への流れを遮断する）を行う能力は、防災上の利点を有し、サニタリーウェアのより高い可用性および／またはより低いダウンタイムを可能にし、より清潔な便器を可能にし、クライアントの満足度を向上させ得る。本発明のサニタリーウェアシステムのサニタリーウェア備品は、前述のように、１つまたは複数のセンサを含み得る。１つまたは複数のセンサは、例えば、便器内の水位など、サニタリーウェアのパラメータを検出し得る。サニタリーウェアシステムは、感知されたパラメータに基づいて、サニタリーウェアおよび／またはシステムのコンディションを決定し得る。例えば、サニタリーウェアシステムが備品内の高い水位を感知した場合、システムは、詰まりが備品内に存在すると判断し得る。したがって、サニタリーウェアシステムは、サニタリーウェアのステータスを判断して、詰まりイベントが発生したかどうか、および／またはサニタリーウェアが詰まりしているかどうかを判断し得る。コネクテッドシステムは、平均的な詰まり解決のための目標期間を設定し得る。従って、コネクテッドシステムは、平均時間期間内に解決を得るために取るべきアクション（例えば、どの技術者を派遣するか）を決定し得る。
【００９２】
サニタリーウェアは、ユーザ、清掃員、または技術者に対して、詰まりを除去するか、またはその他の方法でサニタリーウェアをサービスするためのタスク要求を開始し得る。代替的に、または追加的に、サニタリーウェアシステムは、技術者がサニタリーウェアをサービスすることができるまで、サニタリーウェアの使用を防止するために、アングル止水栓を閉じるか、または水洗計への流れを遮断し得る。これにより、水がサニタリーウェアに流れることが防止され、サニタリーウェアの動作不能ステータスの間、サニタリーウェアの使用が防止されるので、節水を可能にすることができ得る。また、詰まりしたサニタリーウェアを使用者が動作不能ステータスで使用することで、さらに詰まりが発生して破損の原因となることを防ぐことができるので、サニタリーウェアやトイレの破損を防ぐことができ得る。
【００９３】
サニタリーウェアの詰まりステータスは、サニタリーウェアの動作を記録および／または監視するためにサーバに伝達され、様々な目的で記録され得る。例えば、情報は、管理人および／または技術者へのサービスチケットを開始するために使用され得る。情報は、場所別および時間経過（例えば、サニタリーウェアの寿命のコース）による建物の全体的な健康状態を監視するために使用され得る。情報は、傾向（例えば、詰まりの傾向）、貧弱な配管、および／または破壊行為などを監視するために使用し得る。情報は、排水リラを診断するために使用し得る。情報は、サニタリーウェアの特定の陶磁器モデルの性能を監視するために使用され得る。情報は、年齢、タイプ、場所、時間、およびサニタリーシステムによって建物の配管の健康を監視するために使用し得る。情報は、バルブの開放失敗と真の詰まりの診断、故障分析に使用し得る。情報は顧客マーケティングの追跡に使用し得る。
【００９４】
このように、詰まりイベントの監視とロギングは、システムの全体的な効率を改善することができる。トラッキングは、建物内の備品の収集と建物の給水を注意深く管理することを可能にし得る。例えば、特定のサニタリーウェアが詰まりを起こした回数または時間を監視することは、予防的なメンテナンスまたは故障の早期診断を可能にし得る。また、システムは、他のサニタリーウェアと通信して、故障した便器の補償を可能にし得る。さらに、それは、技術者および／または用務員が、建物内の配管設備を管理する際の効率を改善することを可能にし得る。詰まりの時間、場所、および重症度を知ることにより、技術者および／または配管工は、詰まりに対処するために適切な準備をして到着することができるようになり得る。詰まりや故障している便器の場所は、技術者および／または清掃員のためにマップ化されている場合がある。これにより、技術者および／または配管工が一度に複数の問題のある便器に対処することができるようにし得る。さらに、特定のサニタリーウェアにおける詰まりの履歴データは、サニタリーウェアおよび他のサニタリーウェアを制御するために使用され得る。このように、記載されているように、詰まりイベントのログを記録することは、防災、サニタリーウェアのより高い可用性および／またはより低いダウンタイム、より清潔なトイレ、およびクライアントの満足度の向上を可能にすることによって、サニタリーウェアおよび複数のサニタリーウェアの収集の効率を向上させることができ得る。改善された効率を達成するためのデータの他の使用が企図される。
【００９５】
イベント：漏れ検出
【００９６】
便器への漏れ検出を決定し、アラートを発するサニタリーウェアの能力は、節水の利点と間接的なエネルギー節約の利点を有し得る。サニタリーウェアは、サニタリーウェアのステータスを決定し、漏れが発生しているかどうか、漏れが発生している場所、および漏れが発生している時間が弓なりに長いかどうかを決定し得る。例えば、サニタリーウェアは、アングル止水栓および／または水洗バルブを通る流れを監視する１つまたは複数のセンサを備え得る。一定の流量が検出されると、システムは漏れが発生していると判断することができる。
【００９７】
例示的な実施形態では、サニタリーウェアは、超音波センサであり得る１つまたは複数のセンサを含み得る。タンクおよび／または水洗バルブから便器への水の漏れがある場合、便器内の水に外乱が発生する。すなわち、タンク及び／又は水洗バルブからの水の滴下により、静置された便器内の水に波紋や波動が生じる場合がある。例えば、使用していない便器では、便器内の水が静止状態にある場合がある。便器の部品からの水漏れによる水の乱れを超音波センサで検出し得る。超音波センサを用いた信号のサンプリング（Time of Flight（ＴｏＦ）の有無）を用いて、便器内に水が漏れているか否かを判断し得る。このように、超音波センサは、便器のステータス（例えば、詰まりが存在する）を検出するために採用され得る。便器状態の決定は、Ｇｒｏｖｅｒらにさらに詳細に記載されている。サニタリーウェアシステムは、便器内の拡張された乱流を、水洗バルブの不適切な閉鎖、欠陥または損傷した水洗バルブ、または他の欠陥または損傷したコンポーネントなどのサニタリーウェア備品の誤動作の徴候として解釈するようにプログラムされ得る。
【００９８】
サニタリーウェアシステムは、技術者、配管工、設備管理者、および／または管理人と通信して、サニタリーウェア備品および／またはシステムのサービスのためのサービスチケットを開始することができる。漏れの早期発見は、水を節約し、エネルギーを節約し、技術者および／または清掃員へのアラートまたはサービスチケットを開始することにより、問題を早期に修正することを可能にし得る。いくつかの実施形態では、サニタリーウェアは、サニタリーウェア内でのさらなる流体の漏れを防ぐために、自動的にアングル止水栓に信号を送信しアングル止水栓を閉じ得る。同時に、サニタリーウェアは、問題を是正するためのアラートを技術者に伝達し得る。
【００９９】
サニタリーウェア内の漏れ検出は、サニタリーウェアシステムの動作を記録および／または監視するために、サーバに通信され得る。例えば、情報は、管理人および／または技術者へのサービスチケットを開始するために使用され得る。情報は、アングル止水栓を自動的に閉じるために使用され得る。情報は、水道コストを下げるために（例えば、継続的な漏れを防ぐためにバルブを閉じることによって）、積極的なサービスを開始するために（例えば、バルブ部品へのウェアなどの部品ウェアによる）、投資収益を評価するために、マーケティングのために、積極的な部品交換を開始するために（例えば、バルブまたはその部品を交換するために施設管理者にアラートまたは電子メールを送信する）、データの信頼性を監視するために（例えば、地域別、水質およびタイプ、使用頻度、圧力、およびタイプ別に）使用されることがある。また、サニタリーウェアで検出された漏れに関する過去のデータは、サニタリーウェアまたは他のサニタリーウェアの制御に使用することができる。
【０１００】
このように、漏れイベントのモニタリングおよびロギングは、システムの全体的な効率を向上させることができ得る。追跡は、建物内のサニタリーウェアおよび／またはサニタリーウェアの収集を慎重に管理することを可能にし得る。例えば、漏れの発生を監視することにより、予防的なメンテナンスまたは故障の早期診断が可能になり得る。また、システムは、他の装置またはサニタリーウェアと通信して、故障したサニタリーウェアの補償を可能にし得る。さらに、それは、技術者および／または管理者が、建物内の配管設備を管理する際の効率を向上させることを可能にし得る。漏水の時間、場所、および深刻度を知ることで、技術者および／または配管工は、漏水に対処するために適切な準備をして到着できるようになり得る。漏れているサニタリーウェアの位置は、技術者および／または清掃員のためにマップ化され得る。これはまた、技術者および／または配管工が一度に１つまたは複数の問題のある便器に対処することを可能にし得る。このように、記載されているように、漏れている便器のロギングは、アラートの発行、節水、および間接的なエネルギー節約の利点を可能にすることによって、サニタリーウェアの効率を改善し、複数のサニタリーウェアの収集を可能にし得る。
【０１０１】
イベント：アングル止水栓制御
【０１０２】
サニタリーウェアがアングル止水栓のステータスを検知できることにより、防災、建物所有者との連絡、節水が可能となる場合がある。サニタリーウェアは、サニタリーウェアのステータスを判定し、サニタリーウェアの詰まりイベントが発生したかどうか、サニタリーウェアが詰まっているかどうか、水洗バルブの水漏れがあるかどうか、その他の故障があるかどうかを判定し得る。サニタリーウェアは、メンテナンスおよび／または修理に対処するために、ユーザ、用務員、または技術者へのタスク要求を開始し得る。代替的に、または追加的に、サニタリーウェアは、技術者または用務員がサニタリーウェアをサービスすることができるようになるまで、サニタリーウェアの使用を防止するために、アングル止水栓を自動的に閉じるか、または水洗計への流れを遮断し得る。これにより、サニタリーウェアへの水の流入が防止され、サニタリーウェアの使用不能ステータスの間、サニタリーウェアの使用が防止されるので、節水を可能にすることができ得る。これはまた、サニタリーウェアがサービス可能になるまで、ユーザが動作不能なサニタリーウェアを動作することができないので、サニタリーウェアおよびトイレの損傷を防止することができ得る。いくつかの実施形態では、アングル止水栓は、サニタリーウェアを流れる水の流れを制御するように自動的に制御され得る。すなわち、アングル止水栓は、便器の特定のステータスに基づいて、および／またはサニタリーウェアで受信した指示に基づいて、閉じる、一時的に閉じる、開く、または部分的に開くように制御され得る。
【０１０３】
アングル止水栓のステータスおよびその制御は、アングル止水栓の動作を記録および／または監視するためにサーバに通信されてもよく、様々な目的のために記録され得る。例えば、その情報は、サニタリーウェアの自己診断、診断、および主給水遮断を可能にするために使用され得る。例えば、アングル止水栓が閉鎖され、サニタリーウェアのステータスをアングル止水栓が閉鎖される前と閉鎖された後の両方で比較し得る。便器のステータスを比較することにより、便器の詰まりに対してバルブの漏れがあるかどうかをサニタリーウェアが自己診断できるようにし得る。サニタリーウェアは、その後、改善のために技術者または清掃員に判定（例えば、バルブの漏れまたは便器の詰まり）を伝達し得る。また、この情報は、バルブコンポーネントまたは他のサニタリーウェアコンポーネントの故障を診断するために使用され得る。これは、さらなる製品の改良を知らせることができる。また、サニタリーウェアは、管理人および／または技術者に、アングル止水栓が閉じられたことを伝え、さらにサービスチケットを開始することができる。情報は、特定のアングル止水栓および／または水洗バルブの性能を監視し、同じものの交換またはメンテナンスを可能にするために使用することができる。
【０１０４】
このように、アングル止水栓のステータスの監視と記録は、システムの全体的な効率を向上させることができる。追跡は、建物内のサニタリーウェアおよび複数のサニタリーウェア備品、および建物の水供給を慎重に管理することを可能にし得る。このように、説明したように、アングル止水栓のステータスのロギングは、防災、建物所有者とのコミュニケーション、節水を可能にし、サニタリーウェアと複数のサニタリーウェアの集合体の効率を向上させることができ得る。改善された効率を達成するためのデータの他の使用が考えられる。
【０１０５】
イベント：バッテリステータス
【０１０６】
バッテリステータスを監視するサニタリーウェアの能力は、チケットの開始、在庫管理、サービス計画、部品の積極的な修理および／または交換、バッテリ寿命対他の傾向の監視、およびマーケティングを可能にし得る。バッテリステータスは、バッテリのステータスを記録および／または監視するためにサーバに通信され得る。例えば、バッテリのステータスは、動作不能なバッテリのために便器の機能が動作不能になるのを回避または防止するために、バッテリの先取り充電または交換を可能にし得る。このように、バッテリステータスを監視して記録することは、システムの全体的な効率を向上させることができ得る。
【０１０７】
イベント：水圧監視
【０１０８】
水圧を監視するサニタリーウェアの能力は、圧力アミに基づいて水量を自己調整することを可能にしてもよく、節水を可能にし得る。サニタリーウェアは、サニタリーウェア内の１つまたは複数の位置で水圧を監視または感知し得る。サニタリーウェアは、水圧の変化を監視または感知し得る。例示的な実施形態では、サニタリーウェアは、以前に記載され、Ｇｒｏｖｅｒらに記載されているように、便器内の水の状態を監視するための１つまたは複数のセンサ（例えば、超音波センサ）を含んでもよい。便器内の水は、水が安定している定常状態（例えば、水の乱れがほとんどまたは全くない）を有し得る。通常の水圧または所望の水圧では、便器内の水が再充填後（例えば、水洗の間）に安定化するまでの時間は、第１の時間期間であり得る。水圧が高い場合、便器内の水が安定するまでの時間は、第１の時間期間よりも長くあり得る。低水圧があるとき、便器内の水が安定するまでの時間は、第１の時間期間よりも短くあり得る。超音波センサは、水が安定するまでの時間を決定し、したがって、水圧の変化を決定し得る。
【０１０９】
サニタリーウェアは、水圧が所定のレベルまたは範囲内にあることに応答して、または所定のレベルまたは範囲外にあることに応答して、機能を開始し得る。例えば、サニタリーウェアは、サニタリーウェア内の圧力を増加または減少させるために、アングル止水栓の位置を調整し得る。所定のレベルまたは範囲は、サニタリーウェアに予めプログラムされ得、サニタリーウェアと通信するためのサーバに記憶され得る。所定のレベルまたは範囲は、サニタリーウェアまたはシステム内の他のサニタリーウェアの履歴データに基づいて更新され得る。したがって、上述した例示的な実施形態では、サニタリーウェアは、監視されたまたは感知された水圧の変化に応答して、システム内の所望の水圧を維持し得る。
【０１１０】
水圧は、サニタリーウェアの動作を記録および／または監視するためにサーバに通信されてもよく、様々な目的のために記録され得る。例えば、この情報は、サービスチケットを開始するために使用され得る。情報は、投資収益率やマーケティングコミュニケーション（節水）のためのデータ収集として使用することができる。情報は、トラブルシューティングを容易にするために使用され得る（例えば、コスト削減、問題の診断の削減、一回の訪問で問題を解決する、修理に適した部品やツールを持参する、正しい部門や個人に依頼を送るなど）。情報は、顧客教育のために使用されることがある。情報は、傾向（例えば、建物の配管の健康状態を年代、タイプ、場所、時間、サニタリーシステムなどで見る）のために使用されることがある。情報は、新製品の開発、クレーム調査や支払いのサポート、建物の水圧管理システムのサポートなどのために使用され得る。このように、水圧の監視と記録は、システムの全体的な効率を改善する可能性がある。
【０１１１】
イベント：サニタリーウェアの使用状況と検針
【０１１２】
サニタリーウェアの使用状況および検針を監視する能力は、備品の使用状況、検針、場所別のリアルタイムのトイレの使用状況を決定する能力、および効率的な建物設計を可能にし得る。サニタリーウェアの使用状況および検針は、サニタリーウェアの動作を記録および／または監視するためにサーバに通信され得る。例えば、情報は、トイレ、サニタリーウェア、または他のトイレ備品がどのように、いつ、どのくらいの頻度で使用されているかを監視するために使用され得る。情報は、トイレ使用の傾向を決定するために使用され得る。情報は、清掃やメンテナンスの頻度やレベルを決定するために使用されることがある。センサ情報および周囲の装置からの情報と組み合わせた予測分析は、サニタリーウェア装置の使用頻度を決定するために使用され得る（例えば、使用頻度が低すぎるか高すぎるかを決定するために使用され得る）。例えば、制御装置は、コンディションが、備品またはフィッティングの使用頻度の異常な高または低レベルであると判断してもよく、アクションは、サービスチケットを初期化することである。コンディションは、１つまたは複数のサニタリーの使用量の異常に高いまたは低いレベルであるかもしれない。情報は、異常な非活動性を識別し、サービスチケットを開始するために使用されるかもしれない。このように、サニタリーウェアの使用状況と検針の監視とロギングは、システムの全体的な効率を向上させ得る。
【０１１３】
イベント：メディア感知
【０１１４】
サニタリーウェアのメディア感知を監視する能力は、清潔で衛生的なトイレを可能にし得る。サニタリーウェアは、サニタリーウェア内および／またはサニタリーウェアの周囲に残っているメディアを感知し得る。サニタリーウェアは、サニタリーウェアの動作を記録および／または監視するために、サーバに通信され得る。例えば、情報は、サービスチケットを開始するために（例えば、トイレ清掃および／またはサニタリーウェアの清掃を実行するために）、トイレ使用の傾向を監視し、それらの傾向に基づいて清掃するために、場所別および時間の経過による建物の全体的な健康状態を診断するために（例えば、配管の問題；、破壊行為、排水の問題、他の便器診断）使用され得る。この情報は、低圧および／または高圧の建物の学習、メディアセンシング、サニタリーウェアのタイプ、便座カバーの使用状況などに基づいて、新製品開発のために使用され得る。このように、メディアセンシングの監視は、システムの全体的な効率を改善する可能性がある。
【０１１５】
イベント：水位監視
【０１１６】
サニタリーウェアが水位を監視し、水位の高低を判断する能力を有することにより、健康環境や節水を可能にすることができ得る。サニタリーウェアは、サニタリーウェアの便器内の水位を感知し得る。サニタリーウェアは、水位を予め定められた範囲と比較し、水位に基づいてアクションを起こし得る。例えば、水位が高すぎる場合には、サニタリーウェアは、アングル止水栓または水洗バルブを閉じてサービスチケットを開始し得る。水位が低すぎる場合、サニタリーウェアは便器に水を入れ得る。サニタリーウェアは、サニタリーウェアの動作を記録および／または監視するために、水位のステータスをサーバに通信し得る。情報は、トラブルシューティングを容易にするために使用されてもよく、建物の全体的な健全性のために、場所別および時間の経過（例えば、傾向、悪い配管、破壊行為、排水、便器診断）、積極的に顧客に水位、特に低水位のアラートを送信するために使用され得る。情報は、投資収益率および節水に関するマーケティングコミュニケーションのために、および／または市場のために捕捉され得る。このように、水位の監視は、システムの全体的な効率を改善する可能性がある。
【０１１７】
イベント：配管の詰まり
【０１１８】
サニタリーウェアが配管の詰まりを検出する能力は、節水の利点と健全な環境を可能にし得る。サニタリーウェアは、サニタリーウェアのステータスを判断して、詰まりイベントが発生したかどうかおよび／または配管が詰まっているかどうかを判断し得る。サニタリーウェアは、便器の詰まりと配管の詰まりとを区別することができ得る。例えば、配管の詰まりがある場合、便器内の水が排水されるのが遅くなり得、および／または便器のシリーズまたはバンクでは、１つまたは複数の便器が便器内で高い水位を経験し得る。各便器内の水位を監視または感知するためのセンサ（例えば、超音波センサ）が設けられ得る。センサが、Ｇｒｏｖｅｒらに記載されているように、便器内の排水が遅いか、または１つまたは複数の便器内の水位が高いことを検出した場合、システムは、配管の詰まりがあると判断し得る。
【０１１９】
例えば、サニタリーウェアのシリーズまたはバンクにおいて、各備品は、１つまたは複数のセンサを含んでもよい。１つまたは複数のセンサは、備品便器内の水位を検出し得る。センサは、備品便器内の水位の上昇を検出し得る。システムは、備品のシリーズまたはバンクの１つまたは複数の備品内の水位の上昇が配管の詰まりを示していると、センサの読み取り値から判断し得る。配管の詰まりは、一連の備品（例えば公衆トイレ）の備品の一部または全部で水位の上昇を示すかもしれない。システムは、水位の上昇を配管の詰まりと判断し、設備管理者、清掃員、および／または技術者に、配管および／または備品をサービスするためのチケットを発行し得る。
【０１２０】
別の例では、１つまたは複数のサニタリーウェア備品は、１つまたは複数のセンサを含んでもよい。１つまたは複数のセンサは、便器内の水位の箔を測定し得る。すなわち、センサは、備品便器内の水位の変化率を測定し得る。システムは、水位の変化率が遅いことを（例えば、水洗サイクルの後に）排水が遅いコンディションとし得る。遅い排水コンディションは、サニタリーウェア備品の故障または損傷を示し得る。システムは、設備管理者、清掃員、および／または技術者に、配管および／または備品をサービスするためのチケットを開始し得る。
【０１２１】
サニタリーウェアシステムは、ユーザ、清掃員、または技術者に対して、配管の詰まりを除去し、および／または配管の詰まりに対処するために配管をサービスするためのタスク要求を開始し得る。代替的に、または追加的に、サニタリーウェアは、技術者、用務員、または配管工が配管または配管をサービスすることができるようになるまで、サニタリーウェアの配管内の各アングル止水栓を閉じるか、またはサニタリーウェアの配管の上流側の流れを遮断して、サニタリーウェアの使用を防止し得る。これにより、水がサニタリーウェアに流れることが防止され、サニタリーウェアの動作不能ステータスの間、サニタリーウェアが使用されることが防止されるので、節水を可能にすることができる。また、使用者がサニタリーウェアおよび／または配管に損傷を与える可能性のある便器を動作不能ステータスであるため、サニタリーウェアおよびトイレの損傷を防止することができ得る。
【０１２２】
配管の詰まりステータスは、サニタリーウェアの動作を記録および／または監視するためにサーバに通信され、様々な目的のために記録され得る。例えば、情報は、管理人および／または技術者へのサービスチケットを開始するために使用され得る。情報は、場所別および時間をかけて（例えば、サニタリーウェアの寿命をかけて）建物の全体的な健康状態を監視するために使用され得る。情報は、傾向（例えば、詰まりの傾向）、貧弱な配管、および／または破壊行為などを監視するために使用し得る。情報は、排水管の詰まりと便器の詰まりを診断するために使用することができる。情報は、年齢、タイプ、場所、時間、および／またはサニタリーシステムごとに建物の配管の健全性を監視するために使用し得る。情報は、故障分析、真の詰まりとバルブ開放の失敗の診断のために使用し得る。情報は、顧客のマーケティングの追跡、投資収益率、または節水についての通信をマーキングするために使用され得る。情報は、低水位に関する顧客へのアラートをプロアクティブに送信するために使用し得る。このように、詰まりイベントの監視とロギングは、システムの全体的な効率を改善する可能性がある。
【０１２３】
イベント：クリーニングサイクル
【０１２４】
コネクテッドシステムは、管理人や技術者などのユーザと通信し得る。ユーザは、コネクテッドシステムのサニタリーウェアまたは他の構成要素を遠隔操作（例えば、無線通信、ダッシュボード、またはそれらの組み合わせを介して）し得る。ユーザは、タブレット、モバイルデバイス、またはコンピュータのうちの１つまたは複数のダッシュボードを介して、サニタリーウェアに指示を送信することができる。ユーザは、このようにして、サニタリーウェアを遠隔で制御し、維持し、または修理することができる。例えば、サニタリーウェアは、クリーニングサイクルを含むことができる。ユーザ（例えば、清掃員または清掃員、家庭所有者、他のユーザ）は、（例えば、ダッシュボードを介して）サニタリーウェアに清掃モードをレイターするように指示し得る。ユーザは、スケジュールされた清掃プログラムに従って指示を送信してもよく、代替的に、コンピュータは、ユーザによる介入なしに、自動的に指示を送信し得る。サニタリーウェアは、前述したように便器のステータスを監視して、サニタリーウェアのステータスが未水洗であると判断し得る。サニタリーウェアは、そのステータスをユーザに伝えてもよく、ユーザは、水洗モードに入るように指示を送り得る。あるいは、サニタリーウェアは、（例えば、サーバとの相互作用から検出されたように）サニタリーウェアのステータスに基づいて（例えば、サーバとの相互作用から検出されたように）クリーニングサイクルを動作させるように自律的にクリーニングシステムに指示し得る。例示的な実施形態では、サニタリーウェアは、ホスピタリティ環境での自動クリーニングを可能にし得る。例えば、顧客がホテルまたは宿泊施設の部屋をチェックアウトするとき、信号がサニタリーウェアに送信され得る。シグナルは、サニタリーウェアにクリーニングサイクルに入るように指示し得る。
【０１２５】
このように、サニタリーウェアは、特定のサニタリーウェアのニーズに応じて、またはユーザからの指示に応答して、遠隔的および／または選択的に水洗され得る。クリーニングモードの作動は、サニタリーウェアの簡単かつ迅速なクリーニングを可能にし得る。ユーザは、水洗を中断することなく、必要なサービス（例えば、クリーニング）を実行することができる。例示的な実施形態では、サニタリーウェアの水洗モードが入力され、水洗が自動的に実行される前に所定の期間（例えば１０分）が経過し得る。これにより、水洗モードに存在する消毒剤および他の水洗材料が、サニタリーウェアを消毒および／または水洗するのに十分な時間を有するようにし得る。水洗モード後の後続の水洗の水洗量は、選択的に選択され得る。いくつかの実施形態では、水洗量は、通常の使用中に実行される水洗よりも大きくなるように選択され得る。水洗量は、１．６ガロンであるように選択され得る。
【０１２６】
したがって、コネクテッドシステム内のサニタリーウェアまたは他の構成要素の各部分が監視され得る。すなわち、サニタリーウェアが何らかの方法で清掃および／またはメンテナンスされるたびに、その発生が追跡され得る。いくつかの実施形態では、サニタリーウェアは、メンテナンスまたはクリーニングが実行されたことを示す信号をサーバに送信し得る。いくつかの実施形態では、技術者がサニタリーウェアに清掃信号を送信すると、発生は自動的に記録され得る。これにより、クリーニングがハッキングされ、監視され、グラフ化され、および／またはマネタイズされ得る。
【０１２７】
イベント：天候
【０１２８】
コネクテッドシステムは、天候を監視し、天候に基づいてサニタリーウェアまたは他の構成要素に指示を提供し得る。コネクテッドシステムは、差し迫った天候に関する情報をクラウドから（例えば、ウェザーサービス、ウェザーチャンネル、ウェザーアプリケーションなどから）取得し得る。例えば、天候が非常に寒い場合、コネクテッドシステムは、コネクテッドシステム内のパイプが凍結するのを防ぐために、小さな定期的な水洗を指示し得る。例えば、天候が非常に暑い場合、および／または、サニタリーウェア備品が連続的または断続的に要素にさらされている場合、コネクテッドシステムは、便器内の水の蒸発、およびそれによる下水道ガスの露出を防止するために、定期的な小水洗を指示し得る。小規模で周期的な水洗の実行は、サニタリーウェア内の機械的なシールを復活させることができる。
【０１２９】
本開示のコネクテッドシステムは、システム内の１つまたは複数のサニタリーウェア備品のメンテナンスおよび制御を容易にし得る。すなわち、例えば、システムは、オフィスビル内の、またはオフィスビルの特定の階にあるすべてのサニタリーウェア備品を含んでもよい。システムは、個々のサニタリーウェアを監視し得る。システムは、単一の備品または備品のグループからの情報を使用して、配管、各備品、または備品のコレクションのコンディションを決定し得る。システムは、改善メンテナンスを実行するために、設備管理者または他の担当者にコンディションを通知し得る。予防メンテナンス、問題のある備品または配管の特定、水の使用量の最小化、およびその他の方法で建物システムを最適化することができる。一実施例では、サニタリーウェアシステムは、ホテルや旅館などのホスピタリティ設定で採用され得る。システムは、システム内の便器を監視し、メンテナンスおよび清掃を実行し、備品をサービス外に配置し、その他の方法でシステム内の備品を制御し得る。
【０１３０】
図１１を参照すると、コンピューティングデバイス１１２で使用するための例示的なシステムは、処理ユニット（ＣＰＵまたはプロセッサ）７２０と、システムメモリを含む様々なシステムコンポーネントをプロセッサ７２０に結合し得るシステムバス７１０とを含む汎用コンピューティングデバイス７００を含んでもよい。システムメモリ７３０は、リードオンリーメモリ（ＲＯＭ）４４０および／またはランダムアクセスメモリ（ＲＡＭ）４５０であり得る。コンピューティングデバイス７００は、プロセッサ７２０に直接接続された、近接した、および／またはプロセッサ７２０の一部として統合された高速メモリのキャッシュを含んでもよい。コンピューティングデバイス７００は、プロセッサ７２０による迅速なアクセスのために、メモリ７３０および／または記憶装置７６０からのデータをキャッシュにコピーし得る。このようにして、キャッシュは、データを待つ間のプロセッサ７２０の遅延を回避する性能向上を提供し得る。これらおよび他のモジュールは、様々な動作を実行するようにプロセッサ７２０を制御するか、または制御するように構成され得る。他のシステムメモリ７３０も使用可能であり得る。メモリ７３０は、異なる性能特性を有する複数の異なるタイプのメモリを含んでもよい。デバイス７００は、より大きな処理能力を提供するためにネットワーク化されたコンピューティングデバイスのグループまたはクラスタで動作し得る。プロセッサ７２０は、任意の汎用プロセッサと、プロセッサ７２０を制御するように構成された記憶装置７６０に格納された第１モジュール７６２、第２モジュール７６４、および第３モジュール７６６のようなハードウェアモジュールまたはソフトウェアモジュールと、ソフトウェア命令が実際のプロセッサ設計に組み込まれている特定用途プロセッサとを含んでもよい。プロセッサ７２０は、本質的に、複数のコアまたはプロセッサ、バス、メモリコントローラ、キャッシュなどを含む、完全に自己完結型のコンピューティングシステムであり得る。マルチコアプロセッサは、対称型または非対称型であり得る。
【０１３１】
バス７１０は、メモリバスまたはメモリコントローラ、周辺バス、および様々なバスアーキテクチャのいずれかを使用したローカルバスを含むいくつかのタイプのバス構造のいずれかであり得る。ＲＯＭ７４０などに格納された基本入出力（ＢＩＯＳ）は、起動時などのコンピューティングデバイス７００内の要素間で情報を転送するのに役立つ基本ルーチンを提供し得る。コンピューティングデバイス７００は、ハードディスクドライブ、磁気ディスクドライブ、光ディスクドライブ、テープドライブなどのストレージデバイス７６０をさらに含む。ストレージデバイス７６０は、プロセッサ７２０を制御するためのソフトウェアモジュール７６２、４６４、４６６を含んでもよい。他のハードウェアまたはソフトウェアモジュールが企図される。ストレージデバイス７６０は、ドライブインターフェースによってシステムバス７１０に接続される。ドライブおよび関連するコンピュータ読み取り可能な記憶媒体は、コンピュータ読み取り可能な命令、データ構造、プログラムモジュール、および他のデータの不揮発性記憶装置をコンピューティングデバイス７００に提供する。一側面において、特定の機能を実行するハードウェアモジュールは、機能を実行するために必要なハードウェアコンポーネント、例えばプロセッサ７２０、バス７１０、ディスプレイ７７０などと関連して、有形のコンピュータ可読記憶媒体に記憶されたソフトウェアコンポーネントを含む。別の側面では、システムは、プロセッサおよびコンピュータ読み取り可能な記憶媒体を使用して、プロセッサによって実行されると、プロセッサに方法または他の特定の動作を実行させる命令を記憶することができる。基本的な構成要素および適切なバリエーションは、デバイス７００が小型のハンドヘルドコンピューティングデバイスであるか、デスクトップコンピュータであるか、またはコンピュータサーバであるかなど、デバイスのタイプに応じて企図される。
【０１３２】
本明細書に記載される例示的な実施形態は、記憶装置７６０にハードディスクを採用しているが、磁気カセット、フラッシュメモリカード、デジタル多目的ディスク、カートリッジ、ランダムアクセスメモリ（ＲＡＭ）４５０など、コンピュータによってアクセス可能なデータを記憶することができる他のタイプのコンピュータ読み取り可能な媒体が考えられる。および読み取り専用メモリ（ＲＯＭ）４４０は、例示的な動作環境においても使用され得る。有形のコンピュータ可読記憶媒体、コンピュラー可読記憶装置、またはコンピュータ可読記憶装置は、一過性の波、エネルギー、搬送波、電磁波、およびそれ自体の信号などの媒体を明示的に除外する。
【０１３３】
コンピューティングデバイス７００とのユーザインタラクションを可能にするために、入力デバイス７９０は、発話用のマイク、ジェスチャーまたはグラフィカル入力用のタッチ感応スクリーン、キーボード、マウス、モーション入力、発話などの任意の数の入力機構を表す。出力デバイスまたはディスプレイ７７０はまた、当技術分野の当業者に知られている多数の出力メカニズムのうちの１つまたは複数であり得る。いくつかの実施形態では、マルチモーダルシステムは、ユーザがコンピューティングデバイス７００と通信するために複数のタイプの入力を提供することを可能にする。通信インターレース７８０は、一般に、ユーザ入力およびシステム出力を支配し、管理する。任意の特定のハードウェア配置で動作することに制限はなく、したがって、ここでの基本的な特徴は、それらが開発されるにつれて、改良されたハードウェアまたはファームウェアの配置に容易に置き換えることができる。
【０１３４】
本開示は、便器パフォーマンスセンサシステムから生成された情報、および他の同種または異種システムからの外部アクションデータを収集し、共有し、アクションし得る。これらの同種システムは、他の便器および／または小便器を含んでもよい。異種システムは、気象サービス、日付および時刻管理サービス、インライン流量計などを含んでもよい。便器パフォーマンスシステムは、液体イベントと固体イベント、およびオーバーフローイベントと部分的な水洗とを区別することが可能であり得る。このような状況では、システムは、ローカルイベントまたは配管の詰まり、天候（暑さまたは寒さ）などの外部の動作に応じて、水の追従を調節したり、システムを自動で遮断したりすることによってバルブを管理し得る。
【０１３５】
例えば、暑い夏の間に、便器使用の長期的な不足は、損なわれるために機械的な水シールを使用することができる。このようなイベントにおいて、便器システム内の便器が機械的水シールの危殆化を検出した場合、その情報は、機械的水シールを維持するために必要な調整を行うために、全体のシステムと共有することができる。同様に、より寒い冬の日の間、システムは、配管の完全性を維持するために、少量の水を自動的に使用するために使用することができる。
【０１３６】
さらに、システムは、便器内への水漏れや配管圧の変化を検出することができる。このような状況では、便器パフォーマンスシステムは、水漏れを愛用者に通知するだけでなく、水の配管圧力が変化した場合に水を調整するためにバルブのタイミングを調整することが可能である。上述したすべてのイベントは、有線デジタル通信手段の無線を介してユーザに通信され得る。さらに、現在の感知能力は、便器の異常な水位の報告を可能にし得る。便器の同様の集計データフォームシステムは、差し迫った下水道配管の閉塞をユーザに警告することができる。
【０１３７】
「Ｘ、Ｙ、およびＺの少なくとも１つ」、「Ｘ、Ｙ、またはＺの少なくとも１つ」、「Ｘ、Ｙ、およびＺの少なくとも１つまたは複数」、「Ｘ、Ｙ、またはＺの少なくとも１つまたは複数」、「Ｘ、Ｙ、および／またはＺの少なくとも１つまたは複数」、「Ｘ、Ｙ、および／またはＺの少なくとも１つ」のような言語の使用は、単一の項目（Ｘだけ、またはＹだけ、またはＺだけ）と複数の項目（すなわち｛ＸとＹ｝、｛ＸとＺ｝、｛ＹとＺ｝、または｛Ｘ、Ｙ、およびＺ｝）とを含むことを意図している。「少なくとも１つの」は、可能な各項目が存在しなければならないという要件を伝えることを意図していない。
【０１３８】
前述の説明は、本発明の好ましい実施形態に向けられているが、他の変形および修正は、当技術分野に熟練した当業者には明らかであろうし、本発明の精神または範囲から逸脱することなく行われ得ることに留意されたい。さらに、本発明の一実施形態に関連して記載された特徴は、上記に明示的に記載されていなくても、他の実施形態と組み合わせて使用することができる。
【図１Ａ】
2021533291.tif 000003
【図１Ｂ】
2021533291.tif 000004
【図１Ｃ】
2021533291.tif 000005
【図１Ｄ】
2021533291.tif 000006
【図１Ｅ】
2021533291.tif 000007
【図２】
2021533291.tif 000008
【図３Ａ】
2021533291.tif 000009
【図３Ｂ】
2021533291.tif 000010
【図４Ａ】
2021533291.tif 000011
【図４Ｂ−１】
2021533291.tif 000012
【図４Ｂ−２】
2021533291.tif 000013
【図４Ｃ−１】
2021533291.tif 000014
【図４Ｃ−２】
2021533291.tif 000015
【図４Ｄ】
2021533291.tif 000016
【図５Ａ】
2021533291.tif 000017
【図５Ｂ】
2021533291.tif 000018
【図５Ｃ】
2021533291.tif 000019
【図５Ｄ】
2021533291.tif 000020
【図５Ｅ−１】
2021533291.tif 000021
【図５Ｅ−２】
2021533291.tif 000022
【図５Ｅ−３】
2021533291.tif 000023
【図５Ｅ−４】
2021533291.tif 000024
【図５Ｆ−１】
2021533291.tif 000025
【図５Ｆ−２】
2021533291.tif 000026
【図５Ｇ】
2021533291.tif 000027
【図５Ｈ】
2021533291.tif 000028
【図５Ｉ】
2021533291.tif 000029
【図５Ｊ】
2021533291.tif 000030
【図６Ａ−１】
2021533291.tif 000031
【図６Ａ−２】
2021533291.tif 000032
【図６Ｂ−１】
2021533291.tif 000033
【図６Ｂ−２】
2021533291.tif 000034
【図７Ａ−１】
2021533291.tif 000035
【図７Ａ−２】
2021533291.tif 000036
【図７Ａ−３】
2021533291.tif 000037
【図７Ｂ−１】
2021533291.tif 000038
【図７Ｂ−２】
2021533291.tif 000039
【図７Ｂ−３】
2021533291.tif 000040
【図７Ｃ−１】
2021533291.tif 000041
【図７Ｃ−２】
2021533291.tif 000042
【図７Ｄ−１】
2021533291.tif 000043
【図７Ｄ−２】
2021533291.tif 000044
【図７Ｄ−３】
2021533291.tif 000045
【図７Ｅ】
2021533291.tif 000046
【図７Ｆ−１】
2021533291.tif 000047
【図７Ｆ−２】
2021533291.tif 000048
【図７Ｆ−３】
2021533291.tif 000049
【図８】
2021533291.tif 000050
【図９】
2021533291.tif 000051
【図１０】
2021533291.tif 000052
【図１１】
2021533291.tif 000053
【手続補正書】
【提出日】令和3年10月15日(2021.10.15)
【手続補正１】
【補正対象書類名】特許請求の範囲
【補正対象項目名】全文
【補正方法】変更
【補正の内容】
【特許請求の範囲】
【請求項１】
コネクテッドサニタリーウェアシステムであって、
複数のサニタリーウェア備品と、
前記複数のサニタリーウェア備品の各々に繋げられた１つまたは複数のセンサと、
コンピューティングデバイスおよび前記１つまたは複数のセンサと電気的に通信する１つまたは複数のコントローラを含む制御システムと、
を含み、
前記１つまたは複数のコントローラは、直接および／またはゲートウェイを介して前記コンピューティングデバイスと通信するように構成され、
前記制御システムは、前記１つまたは複数のセンサからデータを収集するように構成され、
前記制御システムは、前記データに基づいて前記複数のサニタリーウェア備品のステータスを決定するように構成される
コネクテッドサニタリーウェアシステム。
【請求項２】
前記コネクテッドサニタリーウェアシステムは、複数の便器と複数の蛇口とを備える
請求項１に記載のコネクテッドサニタリーウェアシステム。
【請求項３】
前記コネクテッドサニタリーウェアシステムは、複数の便器と複数の小便器と複数の蛇口とを備える
請求項１に記載のコネクテッドサニタリーウェアシステム。
【請求項４】
前記複数のサニタリーウェア備品は、１つのトイレ内にある複数の備品の集合、複数のトイレ内にある複数の備品の集合、または、複数の建物内にある複数の備品の集合体、を含む
請求項１に記載のコネクテッドサニタリーウェアシステム。
【請求項５】
前記制御システムは、前記ステータスに基づいてアクションを開始するように構成される
請求項１に記載のコネクテッドサニタリーウェアシステム。
【請求項６】
技術者は前記コンピューティングデバイスを介してアクションを開始し得る
請求項１に記載のコネクテッドサニタリーウェアシステム。
【請求項７】
前記コンピューティングデバイスは、デスクトップコンピュータ、ラップトップコンピュータ、モバイルデバイス、または、それらの組み合わせ、を含む
請求項１に記載のコネクテッドサニタリーウェアシステム。
【請求項８】
前記ステータスは、詰まりイベント、漏れ検出、アングル止水栓位置、バッテリ寿命、水圧、サニタリーウェア備品の使用状況、水位、配管の詰まり、便器の内容物、および、それらの組み合わせ、から選択され、前記制御システムは、前記ステータスに基づいてアクションを開始するように構成される
請求項１に記載のコネクテッドサニタリーウェアシステム。
【請求項９】
前記アクションは、水洗バルブの開放の指示、水洗バルブの閉鎖の指示、高水洗量の指示、低水洗量の指示、サービスチケットの開始、詰まりの自己診断、バルブ開放維持期間の調整、バルブ位置の調整、トイレ使用状況の監視、アングル止水栓の閉鎖の指示、技術者へのメッセージの送信、および、それらの組み合わせ、から選択される
請求項８に記載のコネクテッドサニタリーウェアシステム。
【請求項１０】
前記１つまたは複数のコントローラは、前記ゲートウェイを介してクラウド／サーバと通信するように構成される
請求項１に記載のコネクテッドサニタリーウェアシステム。
【請求項１１】
前記コンピューティングデバイスは、クラウド／サーバと通信するように構成される
請求項１に記載のコネクテッドサニタリーウェアシステム。
【請求項１２】
前記コンピューティングデバイスは、前記１つまたは複数のコントローラのコントローラに命令を送信するように構成され、該コントローラは、応答してサニタリーウェアアクションを開始するように構成される
請求項１に記載のコネクテッドサニタリーウェアシステム。
【請求項１３】
前記クラウド／サーバは、前記ゲートウェイを介して前記１つまたは複数のコントローラのコントローラに命令を送信するように構成され、該コントローラは、応答してサニタリーウェアアクションを開始するように構成される
請求項１０に記載のコネクテッドサニタリーウェアシステム。
【請求項１４】
前記コンピューティングデバイスは、前記クラウド／サーバから命令を受信し前記１つまたは複数のコントローラのコントローラに命令を送信するように構成され、該コントローラは、応答してサニタリーウェアアクションを開始するように構成される
請求項１１に記載のコネクテッドサニタリーウェアシステム。
【請求項１５】
前記コンピューティングデバイスまたは前記クラウド／サーバは、該コンピューティングデバイスまたは該クラウド／サーバに格納されたプログラム命令および／またはデータに基づいて、前記１つまたは複数のコントローラのコントローラに命令を送信するように構成される
請求項１０または１１に記載のコネクテッドサニタリーウェアシステム。
【請求項１６】
前記制御システムは、前記データを分析し集約し保存しログするように構成される
請求項１に記載のコネクテッドサニタリーウェアシステム。
【請求項１７】
前記制御システムは、視覚モジュールを有し前記データを監視し表示し分析するように構成されるダッシュボードを備える
請求項１に記載のコネクテッドサニタリーウェアシステム。
【請求項１８】
前記制御システムは、履歴データ、経時的パフォーマンス、トイレのトラフィック、蛇口またはシンクの使用状況、サニタリーウェアの使用状況、および、それらの組み合わせ、から選択されたデータを監視するように構成される
請求項１に記載のコネクテッドサニタリーウェアシステム。
【請求項１９】
前記制御システムは、個々のサニタリーウェア備品または前記複数のサニタリーウェア備品の、日次、月次、または年次のステータスを提供するように構成される
請求項１に記載のコネクテッドサニタリーウェアシステム。
【請求項２０】
前記制御システムは、技術者が前記コンピューティングデバイスを用いて前記複数のサニタリーウェア備品の前記ステータスを遠隔で監視できるように構成される
請求項１に記載のコネクテッドサニタリーウェアシステム。
【請求項２１】
前記制御システムは、前記ステータス、外部データ、または、それらの組み合わせ、に基づいてアクションを開始するように構成される
請求項１に記載のコネクテッドサニタリーウェアシステム。
【請求項２２】
前記外部データは、気象サービス、日時管理サービス、または、インライン流量計、からのデータである
請求項２１に記載のコネクテッドサニタリーウェアシステム。
【国際調査報告】
2021533291.tif 000054